(57)【要約】  本明細書は、無線通信システムにおけるCSI（Channel state information）を報告する方法を提供する。  具体的に、端末により遂行される方法は、CSI-RS資源（resource）の設定（configuration）と関連した制御情報を基地局から受信するステップと、前記制御情報は前記CSI-RS資源に適用されるCDM（Code Division Multiplexing）のタイプ（type）を示すCDMタイプ情報を含み、X-port CSI-RSを１つまたはその以上のコンポーネント（component）CSI-RS RE（Resource Element）パターン（pattern）上で前記基地局から受信するステップと、前記受信されたX-port CSI-RSに基づいてCSIを前記基地局に報告（report）するステップを含む。  これを通じて、本明細書はCSI-RS資源（resource）の位置を柔軟に（flexible）提供することができる効果がある。【選択図】図４２
2019531018.tif 000002
【特許請求の範囲】
【請求項１】
無線通信システムにおけるCSI（Channel state information）を報告する方法において、端末により遂行される方法は、
CSI-RS資源（resource）の設定（configuration）と関連した制御情報を基地局から受信するステップと、
前記制御情報は前記CSI-RS資源に適用されるCDM（Code Division Multiplexing）のタイプ（type）を示すCDMタイプ情報を含み、
X-port CSI-RSを１つまたはその以上のコンポーネント（component）CSI-RS RE（Resource Element）パターン（pattern）上で前記基地局から受信するステップと、
前記受信されたX-port CSI-RSに基づいてCSIを前記基地局に報告（report）するステップとを含み、
前記１つまたはその以上のコンポーネント（component）CSI-RS REパターンの各々は前記CDMタイプ情報により指示されるCDMタイプが適用される少なくとも１つのRE（Resource Element）を含み、
前記１つまたはその以上のコンポーネント（component）CSI-RS REパターンの個数は前記X値及び前記CDMの長さによって決定され、
前記X値はCSI-RSアンテナポート（antenna port）の個数であることを特徴とする、方法。
【請求項２】
前記１つまたはその以上のコンポーネント（component） CSI-RS REパターンの個数はX/Lであり、
前記Lは前記CDMの長さ（length）であることを特徴とする、請求項１に記載の方法。
【請求項３】
前記X値が３２の場合、前記１つまたはその以上のコンポーネント（component） CSI-RS REパターンの個数は８であり、前記CDMのタイプはCDM４であることを特徴とする、請求項１に記載の方法。
【請求項４】
第１資源領域及び第２資源領域に各々４個のコンポーネント（component） CSI-RS REパターンが存在することを特徴とする、請求項３に記載の方法。
【請求項５】
各資源領域に含まれる４個のコンポーネント（component） CSI-RS REパターンの開始サブキャリア（subcarrier）位置は互いに異なり、開始symbolの位置は互いに同一であることを特徴とする、請求項４に記載の方法。
【請求項６】
前記第１資源領域に含まれる第１のコンポーネント（component） CSI-RS REパターンの開始サブキャリア（subcarrier）位置と前記第２資源領域に含まれる第２のコンポーネント（component） CSI-RS REパターンの開始サブキャリア（subcarrier）位置は同一であることを特徴とする、請求項４に記載の方法。
【請求項７】
前記１つまたはその以上のコンポーネント（component） CSI-RS REパターンの開始サブキャリア（subcarrier）位置はビットマップ（bitmap）で表示されることを特徴とする、請求項１に記載の方法。
【請求項８】
CSI-RSが時間及び周波数トラッキング（tracking）のために使われるか否かを示すTRS（Tracking Reference Signal）情報を前記基地局から受信するステップをさらに含むことを特徴とする、請求項１に記載の方法。
【請求項９】
前記TRS情報は、前記CSI-RSが時間及び周波数トラッキングのために使われないものに設定されることを特徴とする、請求項８に記載の方法。
【請求項１０】
無線通信システムにおけるCSI（Channel state information）を報告する端末において、
無線信号を送受信するためのRF（Radio Frequency）モジュールと、
前記RFモジュールと機能的に連結されているプロセッサを含み、前記プロセッサは、
CSI-RS資源（resource）の設定（configuration）と関連した制御情報を基地局から受信し、
前記制御情報は、前記CSI-RS資源に適用されるCDM（Code Division Multiplexing）のタイプ（type）を示すCDMタイプ情報を含み、
X-port CSI-RSを１つまたはその以上のコンポーネント（component）CSI-RS RE（Resource Element）パターン（pattern）上で前記基地局から受信し、
前記受信されたX-port CSI-RSに基づいてCSIを前記基地局に報告（report）するように設定され、
前記１つまたはその以上のコンポーネント（component）CSI-RS REパターンの各々は前記CDMタイプ情報により指示されるCDMタイプが適用される少なくとも１つのRE（Resource Element）を含み、
前記１つまたはその以上のコンポーネント（component）CSI-RS REパターンの個数は前記X値及び前記CDMの長さによって決定され、
前記X値はCSI-RSアンテナポート（antenna port）の個数であることを特徴とする、端末。
【発明の詳細な説明】
【技術分野】
【０００１】
本明細書は無線通信システムに関し、より詳しくは、チャンネル状態情報（channel state information、CSI）を報告する方法及びこれを支援する装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）支援、端末ネットワーキング（Device Networking）など、多様な技術が研究されている。
【発明の概要】
【発明が解決しようとする課題】
【０００４】
本明細書は、CSI獲得（acquisition）のためのCSI-RS転送に使われるコンポーネント（component）CSI-RS REパターン（pattern）の開始RE位置を柔軟に（flexible）提供するための方法を提供することをその目的とする。
【０００５】
また、本明細書はCSI-RS転送に全体電力利用（full power utilization）を可能にするように各component CSI-RS REパターンにCDMを適用する方法を提供することをその目的とする。
【０００６】
また、本明細書はCSI-RSの用途を示す情報を上位階層シグナリング（higher layer signaling）を通じて提供する。
【０００７】
本発明で達成しようとする技術的課題は以上で言及した技術的課題に制限されず、 言及しない更に他の技術的課題は以下の記載から本発明が属する技術分野で通常の知識を有する者に明確に理解できるはずである。
【課題を解決するための手段】
【０００８】
本明細書は、無線通信システムにおけるCSIを報告する方法を提供する。
【０００９】
具体的に、端末により遂行される方法は、CSI-RS資源（resource）の設定（configuration）と関連した制御情報を基地局から受信するステップと、前記制御情報は前記CSI-RS資源に適用されるCDM（Code Division Multiplexing）のタイプ（type）を示すCDMタイプ情報を含み、X-port CSI-RSを１つまたはその以上のコンポーネント（component）CSI-RS RE（Resource Element）パターン（pattern）上で前記基地局から受信するステップと、前記受信されたX-port CSI-RSに基づいてCSIを前記基地局に報告（report）するステップを含み、前記１つまたはその以上のコンポーネント（component）CSI-RS REパターンの各々は前記CDMタイプ情報により指示されるCDMタイプが適用される少なくとも１つのRE（Resource Element）を含み、前記１つまたはその以上のコンポーネント（component）CSI-RS REパターンの個数は前記X値及び前記CDMの長さによって決定され、前記X値はCSI-RSアンテナポート（antennaport）の個数であることを特徴とする。
【００１０】
また、本明細書で前記１つまたはその以上のcomponent CSI-RS REパターンの個数はX/Lであり、前記Lは前記CDMの長さ（length）であることを特徴とする。
【００１１】
また、本明細書で前記X値が３２の場合、前記１つまたはその以上のcomponent CSI-RS REパターンの個数は８であり、前記CDMのタイプはCDM４であることを特徴とする。
【００１２】
また、本明細書で第１資源領域及び第２資源領域に各々４個のcomponent CSI-RS REパターンが存在することを特徴とする。
【００１３】
また、本明細書で各資源領域に含まれる４個のcomponent CSI-RS REパターンの開始サブキャリア（subcarrier）位置は互いに異なり、開始シンボル（symbol）の位置は互いに同一であることを特徴とする。
【００１４】
また、本明細書で前記第１資源領域に含まれる第１component CSI-RS REパターンの開始subcarrier位置と、前記第２資源領域に含まれる第２component CSI-RS REパターンの開始subcarrier位置は同一であることを特徴とする。
【００１５】
また、本明細書で前記１つまたはその以上のcomponent CSI-RS REパターンの開始subcarrier位置は、ビットマップ（bitmap）で表示されることを特徴とする。
【００１６】
また、本明細書で前記方法はCSI-RSが時間及び周波数トラッキング（tracking）のために使われるか否かを示すTRS（Tracking Reference Signal）情報を前記基地局から受信するステップをさらに含むことを特徴とする。
【００１７】
また、本明細書で前記TRS情報は前記CSI-RSが時間及び周波数トラッキングのために使われないものに設定されることを特徴とする。
【００１８】
また、本明細書は無線通信システムにおけるCSI（Channel state information）を報告する端末において、無線信号を送受信するためのRF（Radio Frequency）モジュールと、前記RFモジュールと機能的に連結されているプロセッサを含み、前記プロセッサは、CSI-RS資源（resource）の設定（configuration）と関連した制御情報を基地局から受信し、前記制御情報は前記CSI-RS資源に適用されるCDM（Code Division Multiplexing）のタイプ（type）を示すCDMタイプ情報を含み、X-port CSI-RSを１つまたはその以上のコンポーネント（component）CSI-RS RE（Resource Element）パターン（pattern）上で前記基地局から受信し、前記受信されたX-port CSI-RSに基づいてCSIを前記基地局に報告（report）するように設定され、前記１つまたはその以上のコンポーネント（component）CSI-RS REパターンの各々は前記CDMタイプ情報により指示されるCDMタイプが適用される少なくとも１つのRE（Resource Element）を含み、前記１つまたはその以上のコンポーネント（component）CSI-RS REパターンの個数は前記X値及び前記CDMの長さによって決定され、前記X値はCSI-RSアンテナポート（antenna port）の個数であることを特徴とする。
【発明の効果】
【００１９】
本明細書は、CSI獲得（acquisition）のためのCSI-RS転送に使われるコンポーネント（component）CSI-RS REパターン（pattern）の開始RE位置を柔軟に（flexible）提供することができる効果がある。
【００２０】
また、本明細書は各component CSI-RS REパターンにCDMを適用する方法を通じてCSI-RS転送に全体電力利用（full power utilization）を可能にすることができる効果がある。
【００２１】
本発明で得ることができる効果は以上で言及した効果に制限されず、言及しない更に他の効果は以下の記載から本発明が属する技術分野で通常の知識を有する者に明確に理解できるはずである。
【図面の簡単な説明】
【００２２】
本発明に関する理解を助けるために詳細な説明の一部に含まれる添付図面は本発明に対する実施形態を提供し、詳細な説明と共に本発明の技術的特徴を説明する。
【図１】本明細書で提案する方法が適用できるNRの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムで支援する資源グリッド（resource grid）の一例を示す。
【図４】本明細書で提案する方法が適用できるself-containedサブフレーム構造の一例を示す。
【図５】本発明が適用できる無線通信システムにおけるトランシーバーユニットモデルを例示する。
【図６】本発明が適用できる無線通信システムで、TXRU及び物理的アンテナ観点でハイブリッドビームフォーミング構造を図式化した図である。
【図７】本発明が適用できる無線通信システムで、トランシーバーユニット別サービス領域を例示する図である。
【図８】本明細書で提案するコンポーネントCSI-RS REパターン位置の一例を示した図である。
【図９】本明細書で提案するコンポーネントCSI-RS REパターン位置の更に他の一例を示した図である。
【図１０】各々本明細書で提案するCSI-RSマッピング方法の一例を示す。
【図１１】各々本明細書で提案するCSI-RSマッピング方法の一例を示す。
【図１２】各々本明細書で提案するCSI-RSマッピング方法の一例を示す。
【図１３】各々本明細書で提案するCSI-RSマッピング方法の更に他の一例を示した図である。
【図１４】各々本明細書で提案するCSI-RSマッピング方法の更に他の一例を示した図である。
【図１５】本明細書で提案する低いシグナリングオーバーヘッドを有するCSI-RS REパターン位置の一例を示した図である。
【図１６】本明細書で提案するCSI-RSマッピング方法の更に他の一例を示した図である。
【図１７】各々本明細書で提案するCSI-RSマッピング方法の更に他の一例を示す。
【図１８】各々本明細書で提案するCSI-RSマッピング方法の更に他の一例を示す。
【図１９】本明細書で提案するCSI-RSマッピング方法の更に他の一例を示す。
【図２０】本明細書で提案するコンポーネントCSI-RS REパターン（２、２）の可能な位置を示した図である。
【図２１】本明細書で提案するコンポーネントCSI-RS REパターン（２、２）の可能な位置の更に他の一例を示した図である。
【図２２】本明細書で提案するコンポーネントCSI-RS REパターン（２、１）の構成可能な位置の一例を示した図である。
【図２３】本明細書で提案するコンポーネントCSI-RS REパターン（２、１）の構成可能な位置の更に他の一例を示した図である。
【図２４】本明細書で提案するCSI-RS RE位置の一例を示した図である。
【図２５】本明細書で提案する追加的な４-port DMRS REを有する２４-port（uniform）CSI-RS RE位置の一例を示した図である。
【図２６】本明細書で提案する追加的な８-port DMRS REを有する２４-port（uniform）CSI-RS RE位置の一例を示した図である。
【図２７】各々本明細書で提案する８-port CSI-RS REパターンに対する一例を示す。
【図２８】各々本明細書で提案する８-port CSI-RS REパターンに対する一例を示す。
【図２９】各々本明細書で提案する８-port CSI-RS REパターンに対する一例を示す。
【図３０】本明細書で提案するPTRS及び３２-port CSI-RSのREパターンの一例を示す。
【図３１】本明細書で提案するTRSを有する３２-port CSI-RS REパターンの一例を示す。
【図３２】本明細書で提案するTRSを有する３２-port CSI-RS REパターンの更に他の一例を示す。
【図３３】各々本明細書で提案するCSI-RSマッピング方法の更に他の一例を示した図である。
【図３４】各々本明細書で提案するCSI-RSマッピング方法の更に他の一例を示した図である。
【図３５】各々本明細書で提案するCSI-RSマッピング方法の更に他の一例を示した図である。
【図３６】本明細書で提案する２シンボルの制御領域と２シンボルの各々に対するfront-loaded及びadditional DMRSの一例を示す。
【図３７】本明細書で提案する２シンボルの制御領域と３個の１−シンボルadditional DRMSを有する１−シンボルfront-loaded DMRSの一例を示す。
【図３８】本明細書で提案する３シンボル及び２シンボルの制御領域と２つの１-symbol additional DRMSを有する１symbol front-loaded DMRSの一例を示す。
【図３９】本明細書で提案する３シンボル及び２シンボルの制御領域と２つの１-シンボルadditional DRMSを有する１シンボルfront-loaded DMRSの一例を示す。
【図４０】本明細書で提案する周波数領域で可能なCSI-RS RE位置の一例を示した図である。
【図４１】本明細書で提案するCSI-RSマッピング方法の更に他の一例を示した図である。
【図４２】本明細書で提案するCSIを報告するための端末の動作を示した順序図である。
【図４３】本明細書で提案する方法が適用できる無線通信装置のブロック構成図を例示する。
【図４４】本発明の一実施形態に従う通信装置のブロック構成図を例示する。
【図４５】本明細書で提案する方法が適用できる無線通信装置のRFモジュールの一例を示した図である。
【図４６】本明細書で提案する方法が適用できる無線通信装置のRFモジュールの更に他の一例を示した図である。
【発明を実施するための形態】
【００２３】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２４】
幾つかの場合、本発明の概念が曖昧になることを避けるために公知の構造及び装置は省略されるか、または各構造及び装置の核心機能を中心としたブロック図形式に図示できる。
【００２５】
本明細書で、基地局は端末と直接的に通信を遂行するネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む多数のネットワークノード（network nodes）からなるネットワークで、端末との通信のために遂行される多様な動作は基地局または基地局の以外の他のネットワークノードにより遂行できることは自明である。‘基地局（BS：Base Station）’は、固定局（fixed station）、Node B、eNB（evolved-NodeB）、BTS（base transceiver system）、アクセスポイント（AP：Access Point）、gNB（general NB）などの用語により取替できる。また、‘端末（Terminal）’は固定されるか、または移動性を有することができ、UE（User Equipment）、MS（Mobile Station）、UT（user terminal）、MSS（Mobile Subscriber Station）、SS（Subscriber Station）、AMS（Advanced Mobile Station）、WT（Wireless terminal）、MTC（Machine-Type Communication）装置、M2M（Machine-to-Machine）装置、D2D（Device-to-Device）装置などの用語に取替できる。
【００２６】
以下、ダウンリンク（DL：downlink）は基地局から端末への通信を意味し、アップリンク（UL：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
以下の説明で使われる特定用語は本発明の理解を助けるために提供されたものであり、このような特定用語の使用は本発明の技術的思想を逸脱しない範囲で異なる形態に変更できる。
【００２７】
以下の技術は、CDMA（code division multiple access）、FDMA（frequency division multiple access）、TDMA（time division multiple access）、OFDMA（orthogonal frequency division multiple access）、SC-FDMA（single carrier frequency division multiple access）、NOMA（non-orthogonalmultipleaccess）などの多様な無線接続システムに利用できる。CDMAは、UTRA（universal terrestrial radio access）やCDMA２０００のような無線技術（radio technology）で具現できる。TDMAは、GSM（global system for mobile communications）／GPRS（general packet radio service）／EDGE（enhanced data rates for GSM evolution）のような無線技術で具現できる。OFDMAは、IEEE ８０２．１１（WiFi）、IEEE ８０２．１６（WiMAX）、IEEE ８０２-２０、E-UTRA（evolved UTRA）などの無線技術で具現できる。UTRAは、UMTS（universal mobile telecommunications system）の一部である。３GPP（3rd generation partnership project）LTE（longterm evolution）は、E-UTRAを使用するE-UMTS（evolved UMTS）の一部であって、ダウンリンクでOFDMAを採用し、アップリンクでSC-FDMAを採用する。LTE-A（advanced）は３GPP LTEの進化である。
【００２８】
本発明の実施形態は無線接続システムであるIEEE ８０２、３GPP、及び３GPP２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００２９】
説明を明確にするために、３GPP LTE／LTE-Aを中心として技術するが、本発明の技術的特徴がこれに制限されるものではない。
【００３０】
用語の定義
【００３１】
eLTE eNB：eLTE eNBは、EPC（Evolved Packet Core）及びNGC（Next Generation Core）に対する連結を支援するeNBの進化（evolution）である。
【００３２】
gNB：NGCとの連結だけでなく、NRを支援するノード。
【００３３】
新たなRAN：NRまたはE-UTRAを支援するか、またはNGCと相互作用する無線アクセスネットワーク。
【００３４】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００３５】
ネットワーク機能（network function）：ネットワーク機能は、よく定義された外部インターフェースとよく定義された機能的動作を有するネットワークインフラ内での論理的ノード。
【００３６】
NG-C：新たなRANとNGCとの間のNG２レファレンスポイント（reference point）に使われる制御平面インターフェース。
【００３７】
NG-U：新たなRANとNGCとの間のNG３レファレンスポイント（reference point）に使われるユーザ平面インターフェース。
【００３８】
非独立型（Non-standalone）NR：gNBがLTE eNBをEPCに制御プレーン連結のためのアンカーとして要求するか、またはeLTE eNBをNGCに制御プレーン連結のためのアンカーとして要求する配置構成。
【００３９】
非独立型E-UTRA：eLTE eNBがNGCに制御プレーン連結のためのアンカーとしてgNBを要求する配置構成。
【００４０】
ユーザ平面ゲートウェイ：NG-Uインターフェースの終端点。
【００４１】
システム一般
【００４２】
図１は、本明細書で提案する方法が適用できるNRの全体的なシステム構造の一例を示した図である。
【００４３】
図１を参照すると、NG-RANはNG-RAユーザ平面（新たなAS sublayer／PDCP／RLC／MAC／PHY）及びUE（User Equipment）に対する制御平面（RRC）プロトコル終端を提供するgNBで構成される。
【００４４】
前記gNBは、Xnインターフェースを通じて相互連結される。
また、前記gNBは、NGインターフェースを通じてNGCに連結される。
【００４５】
より具体的には、前記gNBはN２インターフェースを通じてAMF（Access and Mobility Management Function）に、N３インターフェースを通じてUPF（User Plane Function）に連結される。
NRヌメロロジー（Numerology）及びフレーム（frame）構造
【００４６】
NRシステムでは、多数のヌメロロジー（numerology）が支援できる。ここで、ヌメロロジーはサブキャリア間隔（subcarrier spacing）とCP（Cyclic Prefix）オーバーヘッドにより定義できる。この際、多数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立して選択できる。
【００４７】
また、NRシステムでは多数のヌメロロジーに従う多様なフレーム構造が支援できる。
【００４８】
以下、NRシステムで考慮できるOFDM（Orthogonal Frequency Division Multiplexing）ヌメロロジー及びフレーム構造を説明する。
【００４９】
NRシステムで支援される多数のOFDMヌメロロジーは、表１のように定義できる。
【００５０】
【表１】
2019531018.tif 000003
【００５１】
NRシステムにおけるフレーム構造（frame structure）と関連して、時間領域の多様なフィールドのサイズは
2019531018.tif 000004
の時間単位の倍数として表現される。
【００５２】
ここで、
2019531018.tif 000005
であり、
2019531018.tif 000006
である。ダウンリンク（downlink）及びアップリンク（uplink）転送は
2019531018.tif 000007
の区間を有する無線フレーム（radio frame）で構成される。ここで、無線フレームは各々
2019531018.tif 000008
の区間を有する１０個のサブフレーム（subframe）で構成される。
【００５３】
この場合、アップリンクに対する１セットのフレーム及びダウンリンクに対する１セットのフレームが存在することができる。
【００５４】
図２は、本明細書で提案する方法が適用できる無線通信システムにおけるアップリンクフレームとダウンリンクフレームとの間の関係を示す。
【００５５】
図２に示すように、端末（User Equipment、UE）からのアップリンクフレーム番号iの転送は、
【００５６】
該当端末での該当ダウンリンクフレームの開始より
2019531018.tif 000009
以前に始めなければならない。
【００５７】
ヌメロロジーμに対して、スロット（slot）はサブフレーム内で
2019531018.tif 000010
の増加する順に番号が付けられて、無線フレーム内で
2019531018.tif 000011
の増加する順に番号が付けられる。１つのスロットは
2019531018.tif 000012
の連続するOFDMシンボルで構成され、
2019531018.tif 000013
は用いられるヌメロロジー及びスロット設定（slot configuration）によって決定される。サブフレームでスロット
2019531018.tif 000014
の開始は同一サブフレームでOFDMシンボル
2019531018.tif 000015
の開始と時間的に整列される。
【００５８】
全ての端末が同時に送信及び受信できるものではなく、これはダウンリンクスロット（downlink slot）またはアップリンクスロット（uplink slot）の全てのOFDMシンボルが利用できないことを意味する。
【００５９】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００６０】
【表２】
2019531018.tif 000016
【００６１】
【表３】
2019531018.tif 000017
【００６２】
NR物理資源（NR Physical Resource）
【００６３】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００６４】
以下、NRシステムで考慮できる前記物理資源に対して具体的に説明する。
【００６５】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasico-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００６６】
図３は、本明細書で提案する方法が適用できる無線通信システムで支援する資源グリッド（resource grid）の一例を示す。
【００６７】
図３を参考すると、資源グリッドが周波数領域上に
2019531018.tif 000018
サブキャリアで構成され、１つのサブフレームが１４・２μOFDMシンボルで構成されることを例示的に記述するが、これに限定されるものではない。
【００６８】
NRシステムにおいて、転送される信号（transmitted signal）は
2019531018.tif 000019
サブキャリアで構成される１つまたはその以上の資源グリッド及び
2019531018.tif 000020
のOFDMシンボルにより説明される。
【００６９】
ここで、
2019531018.tif 000021
である。前記
2019531018.tif 000022
は最大転送帯域幅を示し、これは、ヌメロロジーだけでなく、アップリンクとダウンリンクとの間にも変わることができる。
【００７０】
この場合、図３のように、ヌメロロジーμ及びアンテナポートｐ別に１つの資源グリッドが設定できる。
【００７１】
ヌメロロジーμ及びアンテナポートｐに対する資源グリッドの各要素は資源要素（resource element）と称され、インデックス対
2019531018.tif 000023
により固有的に識別される。ここで、
2019531018.tif 000024
は周波数領域上のインデックスであり、
2019531018.tif 000025
はサブフレーム内でシンボルの位置を称する。
【００７２】
スロットで資源要素を称する時には、インデックス対
2019531018.tif 000026
が用いられる。
【００７３】
ここで、
2019531018.tif 000027
である。ヌメロロジーμ及びアンテナポートｐに対する資源要素
2019531018.tif 000028
は複素値（complex value）
2019531018.tif 000029
に該当する。混同（confusion）する危険がない場合、または特定アンテナポートまたはヌメロロジーが特定されない場合には、インデックスｐ及びμはドロップ（drop）されることができ、その結果、複素値は
2019531018.tif 000030
または
2019531018.tif 000031
になることができる。また、物理資源ブロック（physical resource block）は周波数領域上の
2019531018.tif 000032
連続的なサブキャリアとして定義される。周波数領域上で、物理資源ブロックは０から
2019531018.tif 000033
まで番号が付けられる。この際、周波数領域上の物理資源ブロック番号（physical resource block number）
2019531018.tif 000034
と資源要素
2019531018.tif 000035
との間の関係は、数式１のように与えられる。
【００７４】
【数１】
2019531018.tif 000036
【００７５】
また、キャリアパート（carrier part）と関連して、端末は資源グリッドのサブセット（subset）のみを用いて受信または転送するように設定できる。
【００７６】
この際、端末が受信または転送するように設定された資源ブロックの集合（set）は周波数領域上で０から
2019531018.tif 000037
まで番号が付けられる。
【００７７】
自己完備（Self-contained）サブフレーム構造
【００７８】
図４は、本発明が適用できる無線通信システムにおける自己完備（Self-contained）サブフレーム構造を例示する図である。
【００７９】
ＴＤＤシステムにおけるデータ転送レイテンシー（latency）を最小化するために５世帯（５G：5 generation）new RATでは図４のような自己完備（self-contained）サブフレーム構造を考慮している。
【００８０】
図４で斜線を施した領域（シンボルインデックス０）はダウンリンク（DL）制御領域を示し、黒色部分（シンボルインデックス１３）はアップリンク（UL）制御領域を示す。陰影表示のない領域はDLデータ転送のために使われることもでき、またはULデータ転送のために使われることもできる。このような構造の特徴は、１つのサブフレーム内でDL転送とUL転送が順次に進行されて、サブフレーム内でDLデータが転送され、UL ACK／NACKも受信できる。結果的に、データ転送エラー発生時にデータ再転送までかかる時間を減らすようになり、これによって、最終データ伝達のlatencyを最小化することができる。
【００８１】
このようなself-containedサブフレーム構造で、基地局とUEが送信モードから受信モードへの転換過程、または受信モードから送信モードへの転換過程のための時間ギャップ（time gap）が必要である。このためにself-containedサブフレーム構造で、DLからULに転換される時点の一部OFDMシンボルがガード区間（GP：guard period）に設定されるようになる。
【００８２】
アナログビームフォーミング（Analog beamforming）
【００８３】
ミリメートル波（Millimeter Wave、mmW）では波長が短くなって同一面積に多数個のアンテナ要素（antenna element）の設置が可能である。即ち、３０GHz帯域で波長は１cmであって、４X４（４by４）cmのパネル（panel）に０．５ラムダ（lambda）（即ち、波長）間隔で２−次元配列形態に総６４（８x８）のantenna element設置が可能である。したがって、mmWでは多数個のantenna elementを使用してビームフォーミング（BF：beamforming）利得を高めてカバレッジを増加させるか、または歩留り（throughput）を高めようとする。
【００８４】
この場合にantenna element別に転送パワー及び位相調節が可能であるようにトランシーバーユニット（TXRU：Transceiver Unit）を有すれば、周波数資源別に独立してビームフォーミングが可能である。しかしながら、１００余個のantenna element全てにTXRUを設置するには価格面で実効性が落ちる問題を有するようになる。したがって、１つのTXRUに多数個のantenna elementをマッピングし、アナログ位相シフター（analog phase shifter）でビーム（beam）の方向を調節する方式が考慮されている。このようなanalog BF方式は全帯域で１つのbeam方向のみを作ることができるので、周波数選択的BFを行うことができないという短所がある。
【００８５】
ディジタル（Digital）BFとanalog BFの中間形態に、Q個のantenna elementより少ない個数であるB個のTXRUを有するハイブリッドビームフォーミング（hybrid BF）を考慮することができる。この場合にB個のTXRUとQ個のantenna elementの連結方式によって差はあるが、同時に転送することができるbeamの方向はB個以下に制限される。
【００８６】
以下、図面を参照してTXRUとantenna elementの連結方式の代表的な一例を説明する。
【００８７】
図５は、本発明が適用できる無線通信システムにおけるトランシーバーユニットモデルを例示する。
【００８８】
TXRU仮想化（virtualization）モデルはTXRUの出力信号とantenna elementsの出力信号との関係を示す。antenna elementとTXRUとの相関関係によって図５（ａ）のようにTXRU仮想化（virtualization）モデルオプション−１：サブ−配列分割モデル（sub-array partition model）と、図５（b）のようにTXRU仮想化モデルオプション−２：全域連結（full-connection）モデルとに区分できる。
【００８９】
図５（ａ）を参照すると、サブ−配列分割モデル（sub-array partition model）の場合、antenna elementは多重のアンテナ要素グループに分割され、各TXRUはグループのうちの１つと連結される。この場合にantenna elementは１つのTXRUのみに連結される。
【００９０】
図５（b）を参照すると、全域連結（full-connection）モデルの場合、多重のTXRUの信号が結合されて単一のアンテナ要素（または、アンテナ要素の配列）に伝達される。即ち、TXRUが全てのアンテナelementに連結された方式を示す。この場合に、アンテナelementは全てのTXRUに連結される。
【００９１】
図５で、ｑは１つの列（column）内のM個の同一な偏波（co-polarized）を有するアンテナ要素の送信信号ベクトルである。wは広域TXRU仮想化加重値ベクトル（wideband TXRU virtualization weight vector）であり、Wはアナログ位相シフター（analog phase shifter）により掛けられる位相ベクトルを示す。即ち、Wによりanalog beamformingの方向が決定される。xは、M_TXRU個のTXRUの信号ベクトルである。
【００９２】
ここで、アンテナポートとTXRUとのマッピングは、一対一（1-to-1）または一対多（1-to-many）でありうる。
【００９３】
図５で、TXRUとアンテナ要素との間のマッピング（TXRU-to-element mapping）は１つの例示を示すものであり、本発明はこれに限定されるものではなく、ハードウェア観点で、その他の多様な形態に具現できるTXRUとアンテナ要素との間のマッピングにも本発明が同一に適用できる。
【００９４】
また、New RATシステムでは多数のアンテナが使われる場合、ディジタルビームフォーミングとアナログビームフォーミングを結合したハイブリッドビームフォーミング技法が台頭している。この際、アナログビームフォーミング（または、RF（radiofrequency）ビームフォーミング）は、RF端でプリコーディング（または、コンバイニング）を遂行する動作を意味する。ハイブリッドビームフォーミングでベースバンド（Baseband）端とRF端は各々プリコーディング（または、コンバイニング）を遂行し、これによってRFチェーン数とD（digital）／A（analog）（または、A/D）コンバータ数を減らしながらもディジタルビームフォーミングに近接した性能を出すことができるという長所がある。便宜上、ハイブリッドビームフォーミング構造はN個のトランシーバーユニット（TXRU）とM個の物理的アンテナで表現できる。すると、送信端で転送するL個のデータ階層に対するディジタルビームフォーミングはN by L行列で表現されることができ、以後、変換されたN個のディジタル信号はTXRUを経てアナログ信号に変換された後、M by N行列で表現されるアナログビームフォーミングが適用される。
【００９５】
図６は、本発明が適用できる無線通信システムで、TXRU及び物理的アンテナ観点でハイブリッドビームフォーミング構造を図式化した図である。
【００９６】
図６で、ディジタルビームの個数はL個であり、アナログビームの個数はN個である場合を例示する。
【００９７】
New RATシステムでは基地局がアナログビームフォーミングをシンボル単位に変更することができるように設計して、特定地域に位置した端末に一層効率よいビームフォーミングを支援する方向が考慮されている。延いては、図６で特定N個のTXRUとM個のRFアンテナを１つのアンテナパネル（panel）として定義する時、New RATシステムでは互いに独立してハイブリッドビームフォーミングの適用が可能な複数のアンテナパネルを導入する方案まで考慮されている。
【００９８】
チャンネル状態情報（CSI：Channel state information）フィードバック
【００９９】
３GPP LTE/LTE-Aシステムでは、ユーザ機器（UE）がチャンネル状態情報（CSI）を基地局（BSまたはeNB）に報告するように定義された。
【０１００】
CSIはUEとアンテナポートとの間に形成される無線チャンネル（または、リンクともいう）の品質を示すことができる情報を通称する。例えば、ランク指示子（RI：Rank Indicator）、プリコーディング行列指示子（PMI：Precoding Matrix Indicator）、チャンネル品質指示子（CQI：Channel Quality Indicator）などがこれに該当する。
【０１０１】
ここで、RIはチャンネルのランク（rank）情報を示し、これはUEが同一時間−周波数資源を通じて受信するストリームの個数を意味する。この値はチャンネルの長い周期（long term）フェーディング（fading）により従属して決定されるので、PMI、CQIより一般的にさらに長い周期を有し、UEからBSにフィードバックされる。PMIはチャンネル空間特性を反映した値であって、信号対干渉雑音比（SINR：Signal-to-Interference-plus-Noise Ratio）などのメトリック（metric）を基準にUEが好むプリコーディングインデックスを示す。CQIはチャンネルの強さを示す値であって、一般的にBSがPMIを用いた時に得ることができる受信SINRを意味する。
【０１０２】
３GPP LTE/LTE-Aシステムで、基地局は多数個のCSIプロセス（process）をUEに設定してくれて、各プロセスに対するCSIの報告を受けることができる。ここで、CSIプロセスは基地局からの信号品質測定のためのCSI-RSと干渉測定のためのCSI-干渉測定（CSI-IM：CSI-Interference Measurement）資源で構成される。
【０１０３】
参照信号（RS：Reference Signal）仮想化（virtualization）
【０１０４】
mmWでanalog beamformingにより１つの時点に１つのanalog beam方向のみにPDSCH転送できる。この場合、該当方向にある一部の少数のUEのみに基地局からデータ転送が可能になる。したがって、必要によって、アンテナポート別にanalog beam方向を異に設定することによって、多数のanalog beam方向にある多数のUEに同時にデータ転送が遂行できる。
【０１０５】
図７は、本発明が適用できる無線通信システムで、トランシーバーユニット別サービス領域を例示する図である。
【０１０６】
図７では、２５６ antenna elementを４等分して４個のsub-arrayを形成し、先の図５のようにsub-arrayにTXRUを連結した構造を例として説明する。
【０１０７】
各sub-arrayが２−次元（dimension）配列形態に総６４（８ｘ８）のantenna elementが構成されれば、特定analog beamformingにより１５度の水平角領域と１５度の垂直角領域に該当する地域をカバーすることができる。即ち、基地局がサービスしなければならない地域を多数個の領域に分けて、１回に１つずつサービスするようになる。
【０１０８】
以下の説明で、CSI-RSアンテナポート（antenna port）とTXRUは一対一（１-to-１）マッピングされたと仮定する。したがって、antenna portとTXRUは以下の説明で同じ意味を有する。
【０１０９】
図７（a）のように、全てのTXRU（アンテナポート、sub-array）（即ち、TXRU０、１、２、３）が同一analog beamforming方向（即ち、領域１（region１））を有すれば、より高い分解能（resolution）を有するdigital beamを形成して該当地域の収率（throughput）を増加させることができる。また、該当地域に転送データのランク（rank）を増加させて該当地域のthroughputを増加させることができる。
【０１１０】
図７（b）及び図７（c）のように、各TXRU（アンテナポート、sub-array）（即ち、ポート（port）０、１、２、３）が異なるanalog beamforming方向（即ち、region１またはregion２）を有すれば、より広い領域に分布したUEに該当サブフレーム（SF：subframe）で同時にデータ転送が可能になる。
【０１１１】
図７（b）及び図７（c）の例示のように、４個のアンテナポートのうちの２つは領域１にあるUE１にPDSCH転送のために使われて、残りの２つは領域２にあるUE２にPDSCH転送のために使われることができる。
【０１１２】
特に、図７（b）ではUE１に転送されるPDSCH１とUE２に転送されるPDSCH２が空間分割多重化（SDM：Spatial Division Multiplexing）された例示を示す。これとは異なり、図７（c）のようにUE１に転送されるPDSCH１とUE２に転送されるPDSCH２が周波数分割多重化（FDM：Frequency Division Multiplexing）されて転送されることもできる。
【０１１３】
全てのアンテナポートを使用して１つの領域をサービスする方式とアンテナポートを分けて多数の領域を同時にサービスする方式のうち、セル収率（cell throughput）を最大化するためにUEにサービスするランク（rank）、そして変調及びコーディング技法（MCS：Modulation and Coding Scheme）に従って好まれる方式が変わることができる。また、各UEに転送するデータの量によって好まれる方式が変わることができる。
【０１１４】
基地局は全てのアンテナポートを使用して１つの領域をサービスする時に得ることができるcell throughputまたはスケジューリングメトリック（scheduling metric）を計算し、アンテナポートを分けて２つの領域をサービスする時に得ることができるcell throughputまたはscheduling metricを計算する。基地局は、各方式を通じて得ることができるcell throughputまたはscheduling metricを比較して最終転送方式を選択することができる。結果的に、サブフレーム単位で（SF-by-SF）にPDSCH転送に参加するアンテナポートの個数が変動できる。基地局がアンテナポートの個数に従うPDSCHの転送MCSを計算し、スケジューリングアルゴリズムに反映するために、これに適合したUEからのCSIフィードバックが要求される。
【０１１５】
以下、NR（New Radio）でCSI獲得（acquisition）のためのCSI-RS design方法について説明する。
【０１１６】
少なくともCSI acquisitionのためには、
【０１１７】
− N=２ OFDMシンボルに対し、１つのCSI-RS資源に対する隣接したOFDMシンボルを支援する。
【０１１８】
− N=４ OFDMシンボルに対し、１つのCSI-RS資源に対する隣接したOFDMシンボルの最小個数に対して２と４との間で下方選択（down-selection）
【０１１９】
少なくともCSI acquisitionのために、N=２ OFDMシンボルに対し、同一なsubcarriersが１つのCSI-RS resourceの各々のシンボルで占有されるuniform RE mapping patternを支援する
【０１２０】
CDM sequenceの１つの類型（type）に少なくともOCCを支援する。
【０１２１】
− 位相回転（Cyclic Shift）シーケンスに基づいたRE-level comb上でCSI-RS antenna portsのCDM
【０１２２】
X=３２の時、少なくともX-port CSI-RS resourceに対する少なくともCDM８を支援する。ここで、Xはantenna port数である。
【０１２３】
XポートCSI-RS resourceに対し、少なくともX=１に対し、density D＞=１RE/port/PRBを支援する。
【０１２４】
少なくとも（at least）CSI acquisitionのためにdensity D=１RE/port/PRB及びX＞４ポートの場合、
【０１２５】
− N=１ OFDMシンボルの場合、X=８、１２ポート支援する。
【０１２６】
− N=２ OFDMシンボルの場合、X=８、１２、１６ポート支援する。
【０１２７】
− N=４ OFDMシンボルの場合、少なくともX=３２ポートを支援する。
【０１２８】
少なくともCSI acquisitionに対し、density D=１ RE/port/PRB及びX＞４ポートの場合、次のオプションが支援される。
【０１２９】
− N=１ OFDMシンボルの場合、１つのCSI-RS資源に対して周波数領域で隣接REの最小個数を［２または４］に支援する。
【０１３０】
− N=２ OFDMシンボルの場合、１つのCSI-RS資源に対する周波数領域で隣接REの最小個数を［２または４］に支援する。
【０１３１】
− N=４ OFDMシンボルの場合、１つのCSI-RS資源に対する周波数領域で隣接REの最小個数を［２または４］に支援する。
【０１３２】
CSI獲得のためのX port CSI-RS別CDM patternに対し、
【０１３３】
CSI-RS REパターン（M、N）=（２、１）であるX=２の場合、
【０１３４】
− FD-CDM２支援
【０１３５】
CSI-RS REパターン（M、N）=（４、１）であるX=４の場合、
【０１３６】
− FD-CDM２支援
【０１３７】
CSI-RS REパターン（M、N）=（２、２）であるX=４の場合、
【０１３８】
− FD-CDM２支援
【０１３９】
ここで、Mはfrequencyでの位置、Nはtimeでの位置と関連する。
【０１４０】
NR CSI-RSの全般に対して簡略に説明する。
【０１４１】
CSI-RSはNRに対するビーム管理（beam management）を支援するので、CSI-RS設計はアナログビーム形成側面を考慮しなければならない。
【０１４２】
ビーム管理のためのCSI-RSの設計要求事項は、ポート数、時間／周波数density、ポート多重化方法などの側面でCSI acquisitionのためのCSI-RSと異なることがある。
【０１４３】
したがって、CSI-RS RE位置のような２つCSI-RS類型の間の共通性を維持しながらビーム管理及びCSI獲得のためにCSI-RS設計を最適化する必要がある。
【０１４４】
CSI獲得（acquisition）のためのCSI-RSの主な目的はLTE CSI-RSと類似のDLリンク適応（link adaptation）であり、異なる類型のCSI-RSの主目的はリンク適応のための測定正確度を必ず必要としないDL Tx/Rxビーム管理である。
【０１４５】
したがって、ビーム管理のためのCSI-RSは周波数密度（density）の観点で、CSIを獲得するためのCSI-RSと比較する時、一層稀疎（sparse）でありうる。
【０１４６】
しかしながら、ビーム管理のためのCSI-RSは｛Txビーム、Rxビーム｝前提の大きいセット（large set）の測定を許容するためにスロット内でより多いRSの転送を支援する必要がありうる。
【０１４７】
２つの目的を全て考慮した統一されたCSI-RS設計の観点で、CSI-RS類型を全て CSI-RS resource設定に含むことができ、CSI報告及びビーム報告のために別途の報告設定を個別的に連結することができる。
【０１４８】
（提案１）：NRは２種類のNZP CSI-RSの独立した最適化を考慮しなければならない。
【０１４９】
− CSI-RSタイプA：主にDL CSI acquisition用
【０１５０】
− CSI-RSタイプB：主にDLビーム管理（beam management）用
【０１５１】
CSI acquisitionのためのCSI-RS
【０１５２】
スロット内の多数のOFDMシンボルはCSI-RS転送に使われることができ、隣接（adjacent）または非−隣接（non-adjacent）することができる。
【０１５３】
CSI測定正確度の観点で、CSI-RS patternは位相ドリフト（phase drift）問題によって隣接したシンボル内に定義されることが好ましい。
【０１５４】
また、CDM利得を完全に得るためには、TD（Time Domain）-CDM（Code Division Multiplexing）パターンが隣接したOFDMシンボルに亘って適用される必要がある。
【０１５５】
一方、連続的なOFDMシンボルを占有することは付加的なDMRS位置のような異なるRS設計の自由度だけでなく、ネットワーク柔軟性を制限することができる。
【０１５６】
連続しないシンボルが支援される場合、許容されたTD-CDM長さは制限できる。
【０１５７】
CSI-RSシンボル位置と関連してRS設計柔軟性とCSI推定性能との間の均衡を考慮して慎重なCSI-RS設計が必要である。
【０１５８】
X=２に対するCSI-RS REパターン（M、N）=（２、１）が合意され、X=２に対する（M、N）=（１、２）の支援はまだ未定である。柔軟なCSI-RS割当て及び電力利用利益の活用を考慮する時、CSI-RS REパターン（M、N）=（１、２）は少なくとも６GHz以下でも支援されなければならない。
【０１５９】
（提案２）：X=２に対するCSI-RS資源（１、２）は最小限６GHz以下で支援される。
【０１６０】
FD（Frequency Domain）-CDM２はCSI獲得のためのXポートCSI-RS当たりCDMパターンに対し、（M、N）=（４、１）、（２、２）を有するX=４だけでなく、CSI-RS REパターン（M、N）=（２、１）を有するX=２に対しても支援される。
【０１６１】
CSI-RS REパターン（M、N）=（２、２）であるX=４ポートの場合、CSI-RSポートがFD-CDM２と多重化されればCDM-２の３dB利得を得ることができる。
【０１６２】
また、CSI-RSポートがFDM及びTDM、即ちCDM無しでマルチプレキシングされる場合、FDMされた２REから３dB電力ブースティングを達成することができる。
【０１６３】
TD-CDM２の場合、TD-CDM２からの３dB利得及びFDMされた２REからの電力増幅からの３dB利得、即ち総６dB利得が達成できる。
【０１６４】
また、CDMが時間及び周波数domain（TFD-CDM４で表示される）で構成されれば、X=４に対する最大電力利用率であるCDM-４処理から６dB利得が達成できることが明らかである。
【０１６５】
要約すると、TD-CDM２とTFD-CDM４は全てX=４の時、最大電力使用率を提供する。
【０１６６】
同様に、CSI-RS REパターン（M、N）=（４、１）を有するX=４に対し、FD-CDM４は最大電力利用を提供することができる。したがって、周波数領域または時間領域でのチャンネル変動を反映するCDM長さ及びタイプの柔軟な設定の観点で、FD-CDM４及びTFD-CDM４は、またX=４に対して支援される必要がある。
【０１６７】
（提案３）：CSI-RS REパターン（M、N）=（４、１）を有するX=４に対し、NRは少なくともCSI acquisitionのためにFD-CDM４を支援する。
【０１６８】
（提案４）：CSI-RS REパターン（M、N）=（２、２）でX=４の場合、NRは少なくともCSI獲得のためにTFD-CDM４及びTD-CDM２を支援する。
【０１６９】
少なくとも次のパラメータを含む上位階層によるCSI獲得のためのCSI-RS資源の必要な構成が要約できる：
【０１７０】
１）X CSI-RS port数、X∈｛１、２、４、８、１２、１６、２４、３２｝
【０１７１】
２）Density D（RE/PRB/ポート）、D∈｛１/２、１｝
【０１７２】
３）（CDM長さ（L）、CDMタイプ）のジョイント構成（joint configuration）即ち、｛（２、FD-CDM）、（２、TD-CDM）、（４、FD-CDM）、（４、FD-CDM）、（８、TFD-CDM）｝のうちの１つはXの設定された値に依存する選択で一部の制限を有する。例えば、（２、FD-CDM）及び（２、TD-CDM）はX＞=４の時のみに構成することができる。
【０１７３】
また、（８、TFD-CDM）はX=８、１６、２４、または３２の時のみに構成されることができ、ここで（８、TFD-CDM）に対する詳細なpatternは後述する。
【０１７４】
４）i番目の構成要素CSI-RS REパターンに対する開始RE位置（ki、li）、即ちi=１...,X/L、XとLの設定された値に依存する可能なCSI-RS REパターン結合によって、即ち多数のcomponent CSI-RS REパターンの間の結合はX＞Lの時に発生する。
【０１７５】
（提案５）：上位階層によるCSI獲得のためのCSI-RS資源の構成は少なくとも次のパラメータを含む：
【０１７６】
− Number of CSI-RS ports X∈｛１、２、４、８、１２、１６、２４、３２｝
【０１７７】
− Density D（RE/PRB/port）∈｛１/２、１｝
【０１７８】
− （CDM length（L）、CDM type）∈｛（２、FD-CDM）、（２、TD-CDM）、（４、FD-CDM）、（４、TF-CDM）、（８、TF-CDM）｝for X＞=２：
【０１７９】
■ （２、FD-CDM）can be configured when X＞=２
【０１８０】
■ （２、TD-CDM）can be configured when X＞=２
【０１８１】
■ （４、FD-CDM）can be configured when X＞=４
【０１８２】
■ （４、TFD-CDM）can be configured when X＞=４
【０１８３】
■ （８、TFD-CDM）can be configured when X=８、１６、２４、or ３２
【０１８４】
− Starting RE location（ki、li）for i-th component CSI-RS RE pattern、for whichi=１、…、X/L、ここで、
【０１８５】
■ li：OFDM symbol index within a slot。
【０１８６】
■ ki：subcarrier index with in a PRB。
【０１８７】
前記X＞=２、X＞=４、…などの条件は他の数値の条件などに変更されることができ、本発明で提案する核心ポイント、e.g.、前記（CDM length（L）、CDM type）などに選択されるCDM length/type選択に連動して（dependして）aggregationされる個数X/L個のcomponent CSI-RS RE pattern個数自体が変動することができる。
【０１８８】
そして、これによって設定されるpayload量が変動することができるなどの本発明の思想は適用されるものとして理解されなければならない。
【０１８９】
（８、TFD-CDM）に対する正確なRE patternは、まだ定義されていない。
【０１９０】
このCDM-８オプションと関連してCSI-RS REパターンマッピングにさらに多い柔軟性を有することが有利である。
【０１９１】
例えば、CSI-RS REパターンを（８、TFD-CDM）に対し（２、４）または（４、２）として見なすことができるが、これは他の可能なRS（同一なslot内に位置するDMRS）を考慮して相変らず相当に制限的である。
【０１９２】
したがって、X=８、１６、２４、または３２の時（８、TFD-CDM）に対する柔軟なCSI-RS REパターンに対する幾つかの設定可能なparametersを導入することが好ましい。
【０１９３】
ここで、図８に図示したように、（８、TFD-CDM）CDM group内にΔT（time domain RE offsetで）及びΔF（frequency domain RE offsetで）の２つのパラメータが存在することができる。ΔT∈｛０、１、２、３、４｝とΔF∈｛０、２、［４］｝のように追加的なパラメータの設定可能な範囲を定義することは充分である。
【０１９４】
図８は、本明細書で提案するCSI-RS REパターン位置の一例を示した図である。
【０１９５】
前述した提案５と関連して、図９はX=８ポート及び（４、TFD-CDM）を有するCSI-RS資源構成の一例を示す。
【０１９６】
図９に図示したように、i=１及びi=２の各々に対し、２つのcomponent CSI-RS REパターンを結合することによって構成されることを見ることができる。
【０１９７】
即ち、図９は本明細書で提案するCSI-RS REパターン位置の更に他の一例を示した図である。
【０１９８】
具体的に、図９はX=８ ports及び（４、TFD-CDM）を有するCSI-RS資源構成を示す。
【０１９９】
図９を参照すると、２つのcomponent CSI-RS RE patternが結合されたことを見ることができ、各々CDM４が適用されたことを見ることができる。
【０２００】
可能なCSI-RS位置と関連して、非周期的な（aperiodic）CSI-RS indication及びCSI reporting requestが制御チャンネルから先にデコーディングされる必要があるので、CSI-RSシンボルはDL制御チャンネルの後に位置できる。
【０２０１】
また、front-loaded DMRSはDL制御チャンネルの以後に直ぐ位置しなければならない。
【０２０２】
DMRSは、high-order MU-MIMO転送のためのDMRSを考慮して同一なOFDMシンボル内でCSI-RSと多重化されることは好ましくない。
【０２０３】
したがって、最小値として、DL制御チャンネルに対して１シンボル、及びDMRSに対して１シンボルを仮定すれば、３番目のシンボルはCSI-RS転送のための最も速いシンボルでありうる。
【０２０４】
スロット内の初期CSI報告が支援される場合、CSI-RSはDL制御チャンネル及び前方に載せられる（front-loaded）DL DMRSの以後に少なくとも転送されなければならない。
【０２０５】
CSI-RS自体を含む、DMRS（特に、additional DMRS用）及びPTRSのように相異するRS、例えばCSI-RSタイプA及びBは同一なスロットで転送できる。
【０２０６】
互いに異なるRSに対するRE位置が重複すれば（overlapped）、一部または全体REは互いに衝突して性能が低下することがある。
【０２０７】
したがって、CSI-RS RE位置はDMRS及びPTRSのような他のRSパターンを考慮して決定されなければならない。
【０２０８】
どんなRSがdropまたはavoidされるかを決定する優先順位の規則が重畳するRSのために考慮される必要がありうる。
【０２０９】
例えば、DMRSはCSI-RSタイプAより高い優先順位を有することができる。
【０２１０】
（提案６）：CSI-RS設計はCSI-RSと他のRS（DMRS、PTRS）との衝突を考慮しなければならない。
【０２１１】
次に、シグナリング（signalling）側面について説明する。
【０２１２】
DCIの非周期的CSI報告、semi-persistent CSI-RS活性化／不活性化、及びsemi-persistent CSI報告活性化／不活性化のためのsignaling方法が論議されている。
【０２１３】
Semi-persistent CSI-RS及びCSI報告の場合、活性化及び不活性化にMAC CEを使用することが好ましい。その理由は、端末がDCIを誤ってdetectする場合、大きい影響を及ぼすことがあるためである。
【０２１４】
DCI受信に対するACK/NACK転送が支援されなければ、UEとgNBはDCI送受信があるか否かが識別できず、deactivation signalingを見逃す時、チャンネル性能が悪くなることがあり、activation signalingを見逃す時、不正確なrate matchingによるデータ復調性能の損失が深刻になることがある。
【０２１５】
Semi-persistent CSI-RSに対して活性化／不活性化される資源が多数個あるか、または周期（period）及びオフセット（offset）のような追加的な構成がenable/disable signalingのために提供されなければならない場合、DCIオーバーヘッドも相当である。
【０２１６】
この場合、より大きいペイロードを提供するMACシグナリングは、semi-persistent CSI-RSのためのシグナリングを活性化／不活性化させることに有益でありうる。
【０２１７】
（提案７）：semi-persistent CSI-RSは、MAC CEにより活性化／不活性化される。
【０２１８】
資源グルーピング configuration方法に対し、少なくとも支援されるCSI-RS資源セット数（S）と資源セット当たりCSI-RS資源数（Ks）に基づいて非周期的なCSI-RSに対する資源を選択する２つのオプションは、次の通りである。
【０２１９】
− オプション１：RRC+MAC CE+DCI使用
【０２２０】
− オプション２：RRC+DCI使用
【０２２１】
LTE eFD-MIMOで、オプション１は合理的な範囲内でDCIオーバーヘッドを制御するために採択された。NRでDCIオーバーヘッドが相変らず重要な問題であるので、オプション１を採択することがより合理的でありうる。
【０２２２】
（提案８）：オプション１選択：少なくとも非周期的なCSI-RSに対する資源候補数を減らす方法にはRRC+MAC CE+DCIを使用する。
【０２２３】
LTE eFD-MIMOでは非周期的CSI報告及び非周期的CSI-RSのjoint triggeringのみが非周期的CSI報告トリガリングのために存在するDCIフィールドを再使用して、DCIフィールドを増加させないように支援された。
【０２２４】
NRではCSI frameworkが時間及び周波数ドメイン動作に対するより多いオプションを支援し、RS関連設定と報告関連設定の分離を通じて、より柔軟な作業を支援するように設計された。
【０２２５】
これと関連して、非周期的なCSI-RS triggering及び非周期的なCSI報告triggeringのために分離された（seperated）DCIフィールドを設計することが好ましい。
【０２２６】
この設計方式ではRS及び報告に独立してトリガリングとjointトリガリングを支援することができる。分離された非周期的なCSI-RSトリガリングDCIフィールドを定義することはP-３動作、即ち報告を要求せず、RSトリガリングを考慮する時に特に有用である。
【０２２７】
（提案９）：分離されたDCIフィールドは各々非周期的なCSI-RSトリガリングと非周期的なCSI報告トリガリングのために設計されなければならない。
【０２２８】
動的リソーストリガリング／活性化／不活性化の２つの潜在的な方向がある。
【０２２９】
１つはresource set level動的選択であり、他の１つは次のようなリソースレベル動的選択である。
【０２３０】
− 少なくとも１つのresource settingより選択された１つ以上のCSI-RS資源セット
【０２３１】
− 少なくとも１つのCSI-RS CSI-RS resource setより選択された１つ以上のCSI-RS resource
【０２３２】
一般に、L１/L２signallingに対するresource candidateを減らす方法はresource settingがZP（zero-power）/NZP（non-zero power）、互いに異なる時間領域動作を有するresourcesなど、多いCSI-RSリソースが含まれることができるので、問題となる。
【０２３３】
この問題を緩和する１つの方法は、resourceのcharacteristic（例：time domain behavior、type、power）によってresourceを分類して動的リソース選択が該当範疇内で遂行できるようにするものである。
【０２３４】
その上、資源／資源セットのダウン−選択は暗示的または明示的な方式によりネットワークindicationにより遂行できる。例えば、リソース設定、リンク、またはリンクされた報告設定はprevious time instanceまたはMAC CEを通じて指示できる。
【０２３５】
（提案１０）：RRC構成されたCSI-RS資源のうち、動的トリガリング／活性化／不活性化に対する候補資源の減少は、予め定義された規則（例えば、資源／測定／報告設定に対するRRCパラメータに従う）を有するカテゴリー化を通じて遂行できる。
【０２３６】
その上、down-selectionは、資源設定、リンク、またはリンクされた報告設定セットの暗示的／明示的indicationを通じて遂行することができる。
【０２３７】
（２、４）RE patternを有するCDM-８ configuration
【０２３８】
次に、（２、４）CSI-RS RE patternを有するCDM-８ configurationについて説明する。
【０２３９】
以下の表４は６dBパワーブースティング制限（power boosting constraint）（RAN４ requirement）を考慮して、アンテナポート個数が１２、１６、２４、３２の場合に対してfull power utilization gainの獲得可否を整理した表である。
【０２４０】
Nは使用する時間軸資源の個数を意味するが（隣接したまたは隣接しない時間軸資源）、代表的にOFDMシンボル個数として定義することができる。
【０２４１】
【表４】
2019531018.tif 000038
【０２４２】
表４は、CDM type及びCDM lengthに対するfull power utilization gainの獲得可否を示す。
【０２４３】
表４で、空白は該当事項無しを意味し、FD-CDMはfrequency domainでCDMを、TD-CDMはtime-domainでCDMを、TFD-CDMはtime及びfrequency domainでCDMを示す。
【０２４４】
アンテナポート数が１２個及び１６個の場合、使用するOFDMシンボルの個数１、２、４を考慮して可能なFD-CDM及びTFD-CDMパターンを図１０に示した。
【０２４５】
図１０から図１２は、本明細書で提案するCSI-RS RE mapping方法の一例を示す。
【０２４６】
（１２ ports CSI-RS）
【０２４７】
基地局は同一slot内で速くチャンネル情報をアップデートする必要があると判断する場合、N=１に設定し、CSI-RS RE pattern（４、１）のみ使用して、図１０のようにCDM typeはFD、CDM lengthは４に決定することができる。
【０２４８】
（１６ ports、N=２（隣接したまたは隣接しないOFDMシンボル２つ））
【０２４９】
アンテナポート数が１６であり、２つの隣接した（または、隣接しない）OFDMシンボルを使用する場合、CDM lengthを４に設定する。
【０２５０】
基地局は１つのslot内で速くチャンネル情報をアップデートする必要があると判断する場合には（移動性の低い端末が急激に速い速度で移動するなどの場合を考えることができる）FD-CDM４を設定することができる。
【０２５１】
追加的な情報がなければ、端末はfull power utilizationを達成することができるTFD-CDM４設定のみを期待する。
【０２５２】
TFD-CDM４を設定してもfull power utilizationが可能であり、TFD-CDM８を使用すればfrequency domain channel fluctuationに一層脆弱になるので、 TFD-CDM８を設定することを排除することは好ましいということができる。
【０２５３】
（３２ ports、N=４（隣接した、または隣接しないOFDMシンボル４個））
【０２５４】
アンテナポート数が３２であり、使用するOFDMシンボル個数が４個である時、full power utilization gainを得るために必要な最小CDM lengthは８である。
【０２５５】
また、CDM-８のうち、ただ２x４ TFD-CDM８パターンを使用しなければfull power utilization gainを得ることができない。
【０２５６】
これに基づいて、次のものを提案する。
【０２５７】
− 端末が自身が属した基地局またはTRPで総ポート数が３２であることを（Higher layer signalingなどを通じて）認知するようになれば、component CSI-RS RE pattern（２、４）であり、（component CSI-RS RE patternが（２、４）であることは隣接したsubcarrier ２つと連続的なOFDMシンボル４個に該当する矩形の８個のREを意味する）TFD-CDM８が設定されるということを別途のsignaling無しで認知する。基地局は３２-port CSI-RS RE patternは（２、４）のみ使用し、TFD-CDM８を設定する。
【０２５８】
１つのPRBを構成する総周波数資源の個数と（subcarrierの個数）時間資源の個数を（OFDMシンボルの個数）各々K、Lとして定義し（例えば、LTEシステムのnormal CPである場合、K=１２、L=１４）、CSI-RS RE patternは（２、４）をPRBにmappingする方式を提案する。
【０２５９】
提案する方式はCSI-RSの以外の他のRSの位置などを考慮して基地局が柔軟に設定し、効果的に端末に知らせることができる方法である。
【０２６０】
総４個のcomponent CSI-RS RE pattern（２、４）を配置して３２ ports CSI-RS RE mappingを行う。まず、最初のcomponent CSI-RS RE pattern（２、４）をΔT∈｛１、２、…、L｝番目のOFDMシンボルの
2019531018.tif 000039
番目のsubcarrierに配置する。これを図１２に示した。
【０２６１】
残りの３個のcomponent CSI-RS RE patternが位置するようになるOFDMシンボル（時間軸資源）は同一である。第２のcomponent CSI-RS REパターンは最初のcomponent CSI-RS RE patternでfrequency offset 
2019531018.tif 000040
を置いて位置する。
【０２６２】
これと類似するように、第３のcomponent CSI-RS REパターンは第２の component CSI-RS REパターンでfrequency offset 
2019531018.tif 000041
を置いて位置する。
【０２６３】
最後に、第４のcomponent CSI-RS REパターンは第３のcomponent CSI-RS REパターンでfrequency offset 
2019531018.tif 000042
を置いて位置する。
【０２６４】
この際、
2019531018.tif 000043
Δ値のcandidatesは、図１２に定義されていることが分かる。
【０２６５】
例えば、１つのPRBを構成するsubcarrierの個数が１２個であり、OFDMシンボル数が１４個であると仮定すれば、（K=１２、L=１４）、
2019531018.tif 000044
は０、１、２、３、または４の値に決定できる。
【０２６６】
また、
2019531018.tif 000045
の可能な組合せを１つの集合に定義し、本集合を基地局と端末の事前情報として定義することができる。
【０２６７】
これに基づいて、基地局は自身が設定した
2019531018.tif 000046
に該当するインデックスを端末に転送する形態、即ち、offset情報
2019531018.tif 000047
知らせることができる。
【０２６８】
具体的に、図１２はTFD-CDM８に設定されたcomponent CSI-RS RE pattern（２、４）を有する３２-port CSI-RS RE mappingの一例を示す。
【０２６９】
３２ ports、N=４に対する前記の方式は１６、２４、３２、４０、…、８より大きいX ports CSI-RSに対して同一な原理により拡張できる。
【０２７０】
この際、（２、４）component CSI-RS RE pattern X/４個をPRBにマッピングし、j番目のcomponent CSI-RS RE pattern（j番目のCDMグループ）に対するfrequency offset設定値は以下の数式２の通りである。
【０２７１】
【数２】
2019531018.tif 000048
【０２７２】
ここで、
2019531018.tif 000049
, 
2019531018.tif 000050
情報は全て各々転送される方式、５個のパラメータに対して全ての可能な組合せを考慮した１つの集合を作って設定したパラメータに対応するインデックスを転送する方式を考慮することができる。
【０２７３】
また、可能なΔT値を１つの集合に定義し、可能な
2019531018.tif 000051
の組合せを１つの集合に定義して、２つの集合に対する情報を転送する方法を考慮することができる。
【０２７４】
（２４ ports、N=４（隣接した、または隣接しないOFDMシンボル４個））
【０２７５】
前述した、３２-ports、N=４で端末が自身が属した基地局またはTRPで上位階層シグナリング（higher layer signaling）を通じてアンテナポート数が２４、使用するOFDMシンボル個数が４個であることを認知する場合、component CSI-RS RE pattern（２、４）であり、TFD-CDM８が設定されるということを別途のsignaling無しで認知する。
【０２７６】
（１６ ports、N=４（隣接した、または隣接しないOFDMシンボル４個））
【０２７７】
TD-CDM４を使用してfull power utilization gainを得ることができるが、同一OFDMシンボルの中に異なるREを（subcarrier）使用してデータを転送しない場合（または、次のOFDM symbolでデータを転送しても充分な場合）、TFD-CDM８（（２、４）パターン、周波数軸subcarrier ２つ、時間軸OFDMシンボル４個）を使用すれば、power boosting gainをさらに得ることができる。
【０２７８】
これに基づいて、端末が自身が属した基地局またはTRPで総アンテナポート数が１６であることを（Higher layer signalingなどを通じて）認知し、追加的にOFDMシンボルを４個使用することを認知すれば、component CSI-RS RE pattern（２、４）であり、TFD-CDM８が設定されるということを別途のsignaling無しで認知することができる。
【０２７９】
（１６ ports、N=４（隣接した、または隣接しないOFDMシンボル４個））
【０２８０】
CDM length ４以下のみ使用することができる場合（１６ports caseに対してシステムが支援するCDM lengthが４以下）、TD-CDM４、FD-CDM４、TFD-CDM４のうち、full power utilization gainを得ることができるTD-CDM４を使用する。
【０２８１】
次に、CSI-RS RE pattern位置（location）を指示するためのシグナリングとCDM-４/８のconfigurationについて説明する。
【０２８２】
CSI acquisitionのためのCSI-RS RE patternsに関し、OCC基盤CDMに対するCSI獲得のために少なくとも次のCSI-RS REパターンを支援する。
【０２８３】
【表５】
2019531018.tif 000052
【０２８４】
X-port CSI-RS resourceに対するRE patternは同一なスロットでN≧１OFDMシンボルに亘っており、１つまたは多数個の構成要素CSI-RS REパターンで構成される。
【０２８５】
ここで、component CSI-RS REパターンは周波数領域でY個の隣接したRE及び時間領域でZ個の隣接したREとして単一のPRB内に定義される。
【０２８６】
Density１／２は全てのポートに対する同一なcomb offset valueを有するPRB level combに基づく。
【０２８７】
CDM２及びCDM４（FD２、TD２）のREは隣接したREである。
【０２８８】
CSI acquisitionのためのCSI-RSでCDM-８の場合、次のうちの少なくとも１つを支援する。
【０２８９】
− 多数のcomponent CSI-RS RE patternに亘って分散される
【０２９０】
− １つのcomponent CSI-RS RE pattern内に完全に含まれる
【０２９１】
CSI acquisitionのために、CSI-RS resourceと関連した少なくとも次のパラメータは上位階層構成に基づいてUEにindicationできる：
【０２９２】
− CSI-RSポート数
【０２９３】
− Density（RE/PRB/port）：density=１/２の場合、comb offset
【０２９４】
− CDM（長さ、タイプ）
【０２９５】
− 該当するCSI-RS resourceに対するcomponent REパターンの位置
【０２９６】
− スクランブル（scrambling）ID
【０２９７】
以下、CSI acquisitionのための２４/３２-port CSI-RS設計に対し、より具体的に説明する。
【０２９８】
即ち、CSI-RS RE pattern設計の最も基本単位となるcomponent CSI-RS RE patternの（周波数軸の隣接RE ２つ及び時間軸隣接RE ２つで構成された４個のRE）time-frequency resource grid上のlocation情報を端末に効果的に伝達するために必要なsignaling details及びこれと共に効果的なCDM設定のために多数個のcomponent CSI-RS RE patternを１つの（または、１つ以上の）CDM groupにgroupingする方法について説明する。
【０２９９】
３２-port CSI-RS RE patternを構成する基本component CSI-RS RE pattern（２、２）を（以下、component RE pattern）考慮すれば、総８個のcomponent RE patternは各component RE patternが位置するOFDMシンボルindexに従って４個ずつgroup A及びgroup Bの２グループに分類することができる。図１３を参考する。
【０３００】
３２-port CSI-RS設定時、８個のcomponent RE pattern上のtime-frequency resource grid上の位置情報を端末に知らせるために以下の情報をhigher layer signallingに含めることができる。
【０３０１】
− 図１３の
2019531018.tif 000053
, 
2019531018.tif 000054
【０３０２】
−
2019531018.tif 000055
and 
2019531018.tif 000056
,
2019531018.tif 000057
【０３０３】
Component RE patternの位置（location）情報を知らせるために必要なsignaling overheadを低めるためにtime/frequency resource grid上の座標点を知らせることでなく、component RE patternsの間のoffset valueを知らせることを考えることができる。図１４を参考する。
【０３０４】
図１３及び図１４は、３２-portsに対するCSI-RS RE patternの一例を示した図である。
【０３０５】
OFDMシンボルインデックスをindicationしてcomponent RE patternのstarting position情報を知らせることよりcomponent RE patternsの間の相対的なtimeまたはfrequency offset値を知らせる方式が
2019531018.tif 000058
値の範囲が相対的に小さい。
【０３０６】
したがって、この場合、シグナリングオーバーヘッドが小さくなる。これに対しては図１４に具体的に図示した。
【０３０７】
同様に、３２-port CSI-RS設定時、component RE pattern ８個に対するtime-frequency resource grid上の位置情報を端末に知らせるために以下の情報をhigher layer signalingに含めることができる。
【０３０８】
− 図１４の
2019531018.tif 000059
, 
2019531018.tif 000060
【０３０９】
− 
2019531018.tif 000061
, 
2019531018.tif 000062
,
2019531018.tif 000063
【０３１０】
また、前述した
2019531018.tif 000064
及び
2019531018.tif 000065
の値の範囲をインデックスl=１、２、３、４によって異なるように設定することができる。
【０３１１】
これらの可能な組合せを作ってケース別にindexを与えることができ、これを端末に知らせることができる。
【０３１２】
一例に、図１４で可能な
2019531018.tif 000066
値に対するテーブルを作って、可能な組合せに対してインデックスを与えることができる。追加的に、
2019531018.tif 000067
と
2019531018.tif 000068
も追加して１つのテーブルを構成することもでき、別に構成することもできる。
【０３１３】
このような全ての値、即ち、
2019531018.tif 000069
, 
2019531018.tif 000070
を各々転送するか、またはそのうちの一部を１つのグループに縛って、単一または多数のグループに転送する方法も考えることができる。
【０３１４】
また、higher layer signalingを通じて基地局の別途の設定がない場合、端末は図１４で
2019531018.tif 000071
、そして／または 
2019531018.tif 000072
をdefault値として認知することができる。
【０３１５】
基地局がgroup A及びgroup Bの各々に対するfrequency offset value ２つのみ知らせてくれれば、端末は
2019531018.tif 000073
及び
2019531018.tif 000074
値として認知する。
【０３１６】
そして、higher layer signalingなどを通じて基地局の別途の設定がない場合、端末は図１４で
2019531018.tif 000075
であることをdefault値として認知することができる。
【０３１７】
そして、higher layer signalingを通じて基地局の別途の設定がない場合、端末は図１４で
2019531018.tif 000076
そして／または
2019531018.tif 000077
, 
2019531018.tif 000078
, 
2019531018.tif 000079
, 
2019531018.tif 000080
であることをdefault valueとして認知することができる。
【０３１８】
次に、time及び／又はfrequency channel selectivityが大きいか、またはsignaling overheadを減らするために、component RE pattern（２、２）２つを常に隣接するように設定することを考慮することができる。
【０３１９】
そのために、基地局はhigher layer signalingを通じてtime-adjacent mode、そして／またはfrequency-adjacent modeを設定することができる。
【０３２０】
これに対する定義は以下の通りである。
【０３２１】
− Time-adjacent mode：互いに異なる２グループの（group A及びgroup B）i-th component RE pattern２つ間にOFDM symbol無しで隣接するようになる。図１４の
2019531018.tif 000081
=0。
【０３２２】
− Frequency-adjacent mode：同一なグループの（同一なアルファベット）i-th及び（i+１）-th component RE pattern２つ間に周波数軸RE無しで隣接するようになる。図１４で
2019531018.tif 000082
, 
2019531018.tif 000083
。
【０３２３】
ここで、
2019531018.tif 000084
である。
【０３２４】
基地局はhigher layer signalingを通じてグループAに含まれた４個のcomponent RE patternに対する位置情報
2019531018.tif 000085
及びグループBに属した４個のcomponent RE patternはtime offset
2019531018.tif 000086
とfrequency offset
2019531018.tif 000087
のみ知らせることによって、一括に
2019531018.tif 000088
, 
2019531018.tif 000089
離れた個所に位置させることができる。
【０３２５】
これとは反対に、グループBに対するものを知らせてくれて、グループAに対するものを一括に時間軸、周波数軸に特定offsetだけ離れた個所に位置させる方法を考慮することができる。
【０３２６】
これは、図１５に示されている。
【０３２７】
また、この場合、全てのcomponent RE patternに対するoffset情報を知らせることよりsignaling overheadが低い。
【０３２８】
図１５は、低いシグナリングオーバーヘッドを有するCSI-RS RE patternの位置を指示する一例を示した図である。
【０３２９】
直感的に、グループAに含まれた４個のcomponent RE patternに対する位置情報を知らせてくれて、グループBに属した４個のcomponent RE patternは一括的にtime offset 
2019531018.tif 000090
だけ離れた個所に位置させることを考えることができる。
【０３３０】
この場合、グループBのfrequency offset情報を送らなくてもよいのでoverheadが格段に減る。
【０３３１】
即ち、基地局はhigher layer signalingを通じて
2019531018.tif 000091
及び
2019531018.tif 000092
情報を端末に知らせることができ、本情報のみを通じて端末は３２ ports CSI-RS RE mapping patternを認知することができる。
【０３３２】
Group Aのcomponent RE patternのfrequency offsetがgroup Bのcomponent RE patternのfrequency offsetと同一であることを基地局と端末が事前に約束すれば、図１６に示すように、インデックスが同一なcomponent RE patternが同一なfrequency offsetを有する）基地局は２つの集合
2019531018.tif 000093
と 
2019531018.tif 000094
のうち、１つの集合に対する情報のみhigher layer signalingを通じて知らせることができる。即ち、
2019531018.tif 000095
【０３３３】
図１６は、本明細書で提案するCSI-RS REパターン位置の一例を示した図である。
【０３３４】
図１６を参考すると、８個のcomponent CSI-RS REパターンは第１資源領域及び第２資源領域に位置することができる。
【０３３５】
図１６で、第１資源領域はGroup Aと表示され、第２資源領域はGroup Bと表示される。
【０３３６】
各資源領域の間には特定time offsetを有し、各グループ内のcomponent CSI-RS RE patternの間には特定frequency offsetを有することができる。
【０３３７】
前記第１資源領域と前記第２資源領域は各々少なくとも１つのsymbol及び少なくとも１つのsubcarrierを含むことができる。
【０３３８】
例えば、前記第１資源領域と前記第２資源領域は時間領域に各々２つのsymbolsを含むことができ、周波数領域に少なくとも１２subcarrierを含むことができる。
【０３３９】
ここで、前記第１資源領域及び前記第２資源領域は各々４個のcomponent CSI-RS REパターンを含むことができる。
【０３４０】
また、各資源領域（第１資源領域、第２資源領域）に含まれる４個のcomponent CSI-RS REパターンの開始サブキャリア（subcarrier）位置は互いに異なり、開始symbolの位置は互いに同一でありうる。
【０３４１】
そして、前記第１資源領域に含まれる第１のcomponent CSI-RS REパターンの開始subcarrier位置と前記第２資源領域に含まれる第２のcomponent CSI-RS REパターンの開始subcarrier位置は同一でありうる。
【０３４２】
そして、higher layer signalingを通じて図１４の
2019531018.tif 000096
情報のみ知らせる場合、端末はdefault値として残りの値が全て０であることを認知することができる。
【０３４３】
シグナリングオーバーヘッド（signaling overhead）を減らすために、higher layer signalingに図１３の
2019531018.tif 000097
含まれる場合、端末はdefault値として図１３に図示した
2019531018.tif 000098
, 
2019531018.tif 000099
1,2,3であり、
2019531018.tif 000100
2019531018.tif 000101
, 
2019531018.tif 000102
であることを認知することができる。
【０３４４】
Signaling overheadの減少のために、X=３２、D=１／２（RE/PRB/Port）である場合、X=１６、D=１（RE/PRB/Port）である場合のCSI-RS RE patternを再使用することができる。
【０３４５】
例えば、図１４の（A、３）、（A、４）、（B、３）、（B、４）を除外したことを考えることができる。
【０３４６】
higher layer signalingにCDM lengthとCDM type情報は含まれて、
2019531018.tif 000103
2019531018.tif 000104
, 
2019531018.tif 000105
情報が含まれなければ、端末は前記offset値を予め約束して置いたdefault値として認知する。
【０３４７】
例えば、前記
2019531018.tif 000106
を除いて、他のoffset値は全て０と見なすことができる。
【０３４８】
このような過程を通じてcomponent RE patternはGroup A及びGroup Bに分けられ、各グループのうちの最初乃至第４のcomponent RE patternのインデックスは端末と基地局が既に約束して置いた規則に従って各component RE patternが占めるsubcarrier indexの昇順（または、降順）に決定される。
【０３４９】
追加的に、２４-port以下の場合、下のようなsignalingを考慮することができる。
【０３５０】
CSI-RS RE density １［RE/PRB/Port］を有する２４-port CSI-RS設定のために、component RE pattern ６個に対するtime-frequency resource grid上の位置情報を端末に知らせるために、次のパラメータをhigher layer signalingに含めることができる。
【０３５１】
− 図１３または図１４の
2019531018.tif 000107
2019531018.tif 000108
【０３５２】
CSI-RS RE density １［RE/PRB/Port］を有する２４-port CSI-RS設定のために、component RE pattern ６個に対するtime-frequency resource grid上の位置情報を端末に知らせるために、次のパラメータをhigher layer signalingに含めることができる。
【０３５３】
− 図１３または図１４の
2019531018.tif 000109
, 
2019531018.tif 000110
【０３５４】
CSI-RS RE density １［RE/PRB/Port］を有する１６-port CSI-RS設定のために、component RE pattern ４個に対するtime-frequency resource grid上の位置情報を端末に知らせるために、次のパラメータをhigher layer signalingに含めることができる。
【０３５５】
− 図１３または図１４の
2019531018.tif 000111
, 
2019531018.tif 000112
【０３５６】
CSI-RS RE density １［RE/PRB/Port］を有する１６-port CSI-RS設定のために、component RE pattern ４個に対するtime-frequency resource grid上の位置情報を端末に知らせるために、次のパラメータをhigher layer signalingに含めることができる。
【０３５７】
− 図１３または図１４の
2019531018.tif 000113
【０３５８】
CSI-RS RE density １［RE/PRB/Port］を有する１２-port CSI-RS設定のために、component RE pattern ３個に対するtime-frequency resource grid上の位置情報を端末に知らせるために、次のパラメータをhigher layer signalingに含めることができる。
【０３５９】
− 図１３または図１４の
2019531018.tif 000114
【０３６０】
CSI-RS RE density １［RE/PRB/Port］を有する８-port CSI-RS設定のために、component RE pattern ２つに対するtime-frequency resource grid上の位置情報を端末に知らせるために、次のパラメータをhigher layer signalingに含めることができる。
【０３６１】
− 図１３または図１４の 
2019531018.tif 000115
,
2019531018.tif 000116
または
2019531018.tif 000117
【０３６２】
CSI-RS RE density １［RE/PRB/Port］を有する４-port CSI-RS設定のために、component RE pattern １つに対するtime-frequency resource grid上の位置情報を端末に知らせるために、次のパラメータをhigher layer signalに含めることができる。
【０３６３】
− 図１３または図１４の
2019531018.tif 000118
【０３６４】
次に、aperiodic CSI-RSとsemi-persistent CSI-RS triggering/activation時、CSI-RS信号間、またはCSI-RS信号と他のRSとの間の衝突を回避するためにcomponent RE patternの位置をdynamicに設定することを考慮することができる。
【０３６５】
具体的に、RRCに指定された全てのcomponent RE patterns位置をdynamic indicationするために必要なオフセット値を（例えば、３２-port CSI-RSである場合、次のオフセット値の全体またはそのうちの一部をdynamic signalingすることができる：
2019531018.tif 000119
, 
2019531018.tif 000120
)MAC CEそして／またはDCIにdynamic signalingすることができる。
【０３６６】
基本的に、default component RE patternsの位置はhigher layer signaling indication（RRC signaling）を仮定し、一部または全部component RE patternsの位置はMAC CE and/or DCI signalingを通じてdynamicに設定（または、シフト）することができる。
【０３６７】
例えば、図１３または図１４に示した３２ ports CSI-RSで
2019531018.tif 000121
はRRC signalingを通じてのみ設定可能であるようにし、
2019531018.tif 000122
及び
2019531018.tif 000123
はMAC-CE/DCI signalingを通じて、よりdynamicに設定することを考慮することができる。
【０３６８】
例えば、RRCに設定されたX port CSI-RS RE位置で時間軸及び／又は周波数軸にN symbols及び／又はM subcarriersだけ全体をシフトするようにMAC CEまたはDCIに指示することができる。
【０３６９】
例えば、RRCに設定されたX port CSI-RS RE位置の内の一部component RE pattern（e.g. 前記図１３または図１４でgroup Bに該当）に対してのみ時間軸及び／又は周波数軸にN symbols及び／又はM subcarriersだけシフトするようMAC CEまたはDCIに指示することができる。
【０３７０】
この際、どんなcomponent RE patternをシフトするかは予め決まった規則に従うか（e.g. 常に後に転送されるシンボルのみシフト）、基地局が設定／指定することができる。
【０３７１】
３２-port CSI-RSである場合、図１３または図１４でhigher layer signaling（RRC signaling）を通じて設定される以下の集合の元素のうち、１つまたは１つ以上の元素はMAC-CE及び／又はDCI signalingを通じて設定することができる。
2019531018.tif 000124
【０３７２】
また、RRCに設定されたcomponent RE patternsの位置をdynamicに全て再設定（または、指定）する必要がある時には、図１３または図１４に図示されたオフセットパラメータを（３２-port case）MAC-CE signalingを通じて指定し、一部component RE patternsの位置のみ再設定／指定する時にはDCI signalingを許容する方法を考慮することができる。
【０３７３】
２４／１６／１２／８／４-portである場合、上でcomponent RE patterns位置指定のために必要なパラメータを定義した。そのうちの一部をMAC-CE及び／又はDCI signalingをすることができる。
【０３７４】
１つのslotの中にself-contained uplink regionがある場合（e.g. DL/UL mixed slot）、PDSCH symbol durationを考慮してcomponent RE patternがPDSCH start/end symbol内に存在するように
2019531018.tif 000125
がMAC-CEまたはDCIにダイナミックにsignalingされるか、または如何なる決まった規則に従ってシンボル位置が調整されるようにすることができる。
【０３７５】
後者の場合、例えば特定slotでRRCに設定された
2019531018.tif 000126
または
2019531018.tif 000127
値がPDSCH end symbol位置から外れてCSI-RSが転送されるように設定された場合、該当slotでは予め規定されたシンボル数だけ全体CSI-RS位置を繰り上げるか、または
2019531018.tif 000128
のみ減らすように（即ち、特定component Resのみ位置を調整するように）することができる。
【０３７６】
前記提案方式はNZP CSI-RSだけでなく、干渉測定のための資源（e.g. ZP CSI-RS based IMR（interference measurement resource））またはrate matchingのための資源（e.g. ZP CSI-RS in LTE）にも共通的に適用可能である。
【０３７７】
Higher layer signalingを通じて端末にX=３２、CDM８（TD-２、FD-４）が指示されれば、設定されるOFDM symbol個数は４個であり、２つのOFDMシンボルずつ２つのグループ（図１３）、または図１４のgroup A及びgroup Bから構成されることを端末が自動で認知することができる。
【０３７８】
図１３または図１４の
2019531018.tif 000129
2019531018.tif 000130
値の範囲は
2019531018.tif 000131
値に従って
2019531018.tif 000132
変更／決定できる（ここで、l=２、３、４）。
【０３７９】
１つのPRBがK個のsubcarrierで構成されており、CSI-RS resourceがOFDM symbol ４個を使用する場合、X=８／１６／２４に対して以下の数式３及び４のような範囲を有する。
【０３８０】
【数３】
2019531018.tif 000133
【０３８１】
【数４】
2019531018.tif 000134
【０３８２】
ここで、XはCSI-RS antenna portの個数を示す。
【０３８３】
１つのPRBがK個のsubcarrierで構成されており、CSI-RS resourceがOFDM symbol ２つを使用する場合、X=４/８/１２/１６に対して以下の数式５のような範囲を有する。
【０３８４】
【数５】
2019531018.tif 000135
【０３８５】
ここで、XはCSI-RS antenna portの個数を示す。
【０３８６】
前記の数式に使われるパラメータの間の関係を考慮して
2019531018.tif 000136
及び 
2019531018.tif 000137
値をjoint encoded tableとして定義することができる。
【０３８７】
例えば、X=３２であり、
2019531018.tif 000138
であれば、
2019531018.tif 000139
=0の以外に他の値を有することができない。
【０３８８】
2019531018.tif 000140
の範囲を
2019531018.tif 000141
, 
2019531018.tif 000142
値は
2019531018.tif 000143
より小さく定義することによって、(e.g., 
2019531018.tif 000144
) component RE pattern (A,2), (A,3), (A,4)のPRB上の配置をcomponent RE pattern (A,1)に大きく依存的であるようにすることで、signaling overheadを減らすことができる。
【０３８９】
Group Bも同一な原理を適用することができる。
【０３９０】
Component RE pattern位置をindicationするためのsignaling overhead及び設定自由度を考慮してCSI-RSアンテナポート個数に従って
2019531018.tif 000145
, 
2019531018.tif 000146
値の範囲を異なるように定義することができる。
【０３９１】
特に、CSI-RS antenna portsの個数が小さい場合にも（component RE pattern個数が１つ−２つの場合など）１portに設定された異なるRS及び／又は異なるtypeのCSI-RS（e.g., CSI-RS for beam management）などの異なる信号とのcollisionを避けるためにcomponent RE patternの位置を１RE単位で決定できなければならない。
【０３９２】
［ port ］
CSI-RS設定時、図１３または図１４のようにgroup Aとgroup Bを構成するcomponent RE patternの個数が同一でないことがある。これを考慮して次のものを提案する。
【０３９３】
基地局はgroup Aにあるcomponent RE patternの個数と（例えば、
2019531018.tif 000147
と示す）group Bにあるcomponent RE pattern個数を（例えば、
2019531018.tif 000148
と示す）higher layer signaling（e.g., RRC signaling）を通じて端末に指示／定義してくれることができる。例えば、
2019531018.tif 000149
。
【０３９４】
RRC signalingを通じて３２-port CSI-RSが設定されたが、
2019531018.tif 000150
に対する別途のsignalingがない場合、端末はdefault値に
2019531018.tif 000151
であることを認知することができる。
【０３９５】
RRC signalingを通じて２４-port CSI-RSが設定されたが、
2019531018.tif 000152
に対する別途のsignalingがない場合、端末はdefault値に
2019531018.tif 000153
であることを認知することができる。
【０３９６】
RRC signalingを通じて３２-port CSI-RS及びTD-FD-CDM８（TD-２、FD-４）が設定されれば、端末は自動で
2019531018.tif 000154
であることを認知することができる。
【０３９７】
RRC signalingを通じて２４-port CSI-RS及びTD-FD-CDM８（TD-２、FD-４）が設定されれば、端末は自動で
2019531018.tif 000155
であることを認知することができる。
【０３９８】
Component RE pattern位置の指定のためのsignaling overheadを減らすために、Group AとGroup Bのうち、特定グループにある全てのcomponent RE patternの間のfrequency offset（component Repattern間の相対的なRE distance infrequency domain）値は指定／定義し、他のグループに属しているcomponent RE patternの位置は前述したように（group Aを基準に）一括に時間軸及び周波数軸にshiftすることができる。
【０３９９】
この際、
2019531018.tif 000156
が同一でない場合を考慮して、次のものを提案する。
【０４００】
３２-port CSI-RS設定時、
2019531018.tif 000157
であれば、基地局はhigher layer signalingを通じて図１３または図１４に提示されたパラメータ
2019531018.tif 000158
を端末に指定／転送／定義することによってgroup A及びgroup Bにあるcomponent RE pattern位置を知らせることができる。
【０４０１】
まず、
2019531018.tif 000159
個のgroup Aにあるcomponent RE patterns位置を
2019531018.tif 000160
に基づいて決定することができる（図１３または図１４）。
【０４０２】
次に、group Bにある
2019531018.tif 000161
個のcomponent RE patternsの位置はgroup Aにある
2019531018.tif 000162
個のcomponent RE patternsを時間軸に
2019531018.tif 000163
REs（OFDM symbol indexが増加または減少する方向、即ち、
2019531018.tif 000164
は正の整数及び負の整数に設定できる）、周波数軸に
2019531018.tif 000165
REsだけ（subcarrier indexが増加または減少する方向、即ち、
2019531018.tif 000166
は正の整数及び負の整数両方とも可能である）一括に移動させた後にcomponent RE patternのindex（integer number）が小さいものから
2019531018.tif 000167
個を選択するか、またはindexが大きいものから
2019531018.tif 000168
個を選択して設定する。
【０４０３】
前記のものを変形してsubcarrier indexが減少する方向にshiftさせた以後にcomponent RE patternのindexが大きいものから
2019531018.tif 000169
個を除去するなどの方法は、全て本発明の思想から直感的に派生するものであって、本発明に含まれると見ることができる。
【０４０４】
３２-port CSI-RS設定時、
2019531018.tif 000170
であれば、基地局はhigher layer signalingを通じて図１３または図１４に提示されたパラメータ
2019531018.tif 000171
を端末に指定／転送／定義することによってgroup A及びgroup Bにあるcomponent RE pattern位置を知らせることができる。
【０４０５】
まず、
2019531018.tif 000172
個のgroup Bにあるcomponent RE patterns位置を
2019531018.tif 000173
に基づいて決定することができる（図１３または図１４）。
【０４０６】
次に、group Aにある
2019531018.tif 000174
個のcomponent RE patternsの位置はgroup Bの
2019531018.tif 000175
個のcomponent RE patternsを時間軸に
2019531018.tif 000176
REs（OFDM symbol indexが減少または増加する方向、即ち、
2019531018.tif 000177
は正の整数及び負の整数に設定できる）、周波数軸に
2019531018.tif 000178
REsだけ（subcarrier indexが増加または減少する方向、即ち、
2019531018.tif 000179
は正の整数及び負の整数両方とも可能である）一括に移動させた後にcomponent RE patternのindexが（integer number）小さいものから
2019531018.tif 000180
個を選択するか、またはインデックスが大きいものから
2019531018.tif 000181
個を選択設定する。
【０４０７】
前記内容を３２-port以下のCSI-RS設定に拡張／適用／変形することも本発明に含まれると見ることができる。
【０４０８】
３２-port CSI-RSでCDM-８設定時、
2019531018.tif 000182
値に従って次のものを提案する。
【０４０９】
３２-port CSI-RSでhigher layer signalingを通じて
2019531018.tif 000183
であり、CDM-８が設定されれば（または、（CDM type、CDM length）が（Heterogenous TD-FD-CDM、８）が設定されれば、またはこれと類似するようにCDM lengthは８であるが、互いに異なるタイプのCDMが設定されていることを示すCDM typeが設定されれば）端末は次の通りCDM groupが設定されていることを認知することができる。
【０４１０】
CDM８ group１：図１７でcomponent RE pattern（A、１）及び（B、１）。
【０４１１】
CDM８ group２：図１７でcomponent RE pattern（A、２）及び（B、２）。
【０４１２】
CDM８ group３：図１７でcomponent RE pattern（A、３）及び（B、３）。
【０４１３】
CDM８ group４：図１７でcomponent RE pattern（A、４）及び（A、５）。 
2019531018.tif 000184
の場合も類似するようにCDM８が設定される。
【０４１４】
図１７及び図１８は、本明細書で提案するCSI-RS RE mapping方法の一例を示す。
【０４１５】
３２-port CSI-RSで
2019531018.tif 000185
の場合（group A：component RE pattern ６個があり、（A、１）、（A、２）、（A、３）、（A、４）、（A、５）、（A、６）と示す。Group B：component RE pattern ２つがあり、（B、１）、（B、２）と示す）、CDM-８または（CDM type、CDM length）が（FD-TD-CDM、８）が設定されれば、端末は次の通りCDM groupが設定されていることを認知することができる。
【０４１６】
CDM８ group１：component RE pattern（A、１）and（A、２）
【０４１７】
CDM８ group２：component RE pattern（A、３）and（B、４）
【０４１８】
CDM８ group３：component RE pattern（A、５）and（A、６）
【０４１９】
CDM８ group４：component RE pattern（B、１）and（B、２）
【０４２０】
３２-port CSI-RSで
2019531018.tif 000186
の場合、CDM-８または（CDM type、CDM length）が（Heterogeneous TD-FD-CDM、８）が設定されれば、またはこれと類似するようにCDM lengthは８であるが、互いに異なるタイプのCDMが設定されていることを示すCDM typeが設定されれば、端末は次のようにCDM groupが設定されていることを認知することができる。
【０４２１】
CDM８ group１：component RE pattern（A、１）and（B、１）
【０４２２】
CDM８ group２：component RE pattern（A、２）and（B、２）
【０４２３】
CDM８ group３：component RE pattern（A、３）and（A、４）
【０４２４】
CDM８ group４：component RE pattern（A、５）and（A、６）
【０４２５】
２４-port CSI-RSでCDM-８設定時、
2019531018.tif 000187
値によって次のものを提案する。
【０４２６】
２４-port CSI-RSでhigher layer signalingを通じて
2019531018.tif 000188
であり（group A：component RE pattern ４個があり、（A、１）、（A、２）、（A、３）、（A、４）と示す。Group B：component RE pattern ２つがあり、（B、１）、（B、２）と示す）CDM-８が設定されれば（または、（CDM type、CDM length）が（Heterogenous TD-FD-CDM、８）が設定されれば、またはこれと類似するようにCDM lengthは８であるが、互いに異なるタイプのCDMが設定されていることを示すCDM typeが設定されれば）端末は次のようにCDM groupが設定されていることを認知することができる。
【０４２７】
CDM８ group１：component RE pattern（A、１）and（B、１）
【０４２８】
CDM８ group２：component RE pattern（A、２）and（B、２）
【０４２９】
CDM８ group３：component RE pattern（A、３）and（A、４）
【０４３０】
２４-port CSI-RSでhigher layer signalingを通じて
2019531018.tif 000189
であり、CDM-８が設定されれば、または（CDM type、CDM length）が（FD-TD-CDM、８）が設定されれば、端末は次のようにCDM groupが設定されていることを認知することができる。
【０４３１】
CDM８ group１：component RE pattern（A、１）and（A、２）
【０４３２】
CDM８ group２：component RE pattern（A、３）and（B、４）
【０４３３】
CDM８ group３：component RE pattern（B、１）and（B、２）
【０４３４】
２４-port CSI-RSでhigher layer signalingを通じて
2019531018.tif 000190
であり、CDM-８が設定されれば（または、（CDM type、CDM length）が（Heterogenous TD-FD-CDM、８）が設定されれば、またはこれと類似するようにCDM lengthは８であるが、互いに異なるタイプのCDMが設定されていることを示すCDM typeが設定されれば）端末は次のようにCDM groupが設定されていることを認知することができる。
【０４３５】
CDM８ group１：component RE pattern（A、１）and（B、１）
【０４３６】
CDM８ group２：component RE pattern（A、２）and（A、３）
【０４３７】
CDM８ group３：component RE pattern（A、４）and（A、５）
【０４３８】
追加的に、４個のOFDMシンボルを使用するように２４-port or ３２-port CSI-RS設定時、図１３または図１４に図示したgroup Aとgroup Bに属したcomponent RE patternの個数が同一でなければ（２４portsの場合
2019531018.tif 000191
、３２-portsの場合
2019531018.tif 000192
でない場合）端末はCDM-８設定を期待しないことがある。
【０４３９】
理由は、full power utilizationのためにはTD-FD-CDM８（TD-２、FD-４）が設定されなければならないが、各groupに属したcomponent RE patternの個数が異なれば、一部のみTD-FD-CDM８設定することができるので、full power utilizationが不可能である。
【０４４０】
したがって、
2019531018.tif 000193
の場合、端末がCDM８設定を期待しないことが合理的な方向でありうる。
【０４４１】
次に、component RE patternを考慮したCDM configurationについてより具体的に説明する。
【０４４２】
先に、component RE pattern location情報に対するシグナリングを説明した。
【０４４３】
これと共に、CDM８（一部のCDM４含み）設定のためにcomponent RE pattern aggregation規則を提案する。
【０４４４】
まず、CDMグループ設定のためにCDM type及びCDM lengthに対するhigher layer signal parameterとして次のものを定義する。
【０４４５】
この際、M、NはCDM lengthを意味する（M：周波数軸RE個数、N：時間軸RE個数）。
【０４４６】
CDM type１：TD-CDM
【０４４７】
CDM type２：FD-CDM
【０４４８】
CDM type３：TD-FD-CDM
【０４４９】
Time domainでCDM length＞=frequency domainでCDM length（N＞=M）
【０４５０】
CDM type４：FD-TD-CDM
【０４５１】
ここで、frequency domainでCDM length＞=time domainでCDM length（M＞=N）
【０４５２】
前記で定義したCDM typeに基づいてCDM typeとCDM lengthの可能な組合せを考慮すれば、以下の表６のように示すことができる。
【０４５３】
【表６】
2019531018.tif 000194
【０４５４】
前記CDM type３及びCDM type４は２つタイプ全て時間軸に隣接したRE及び周波数軸に隣接したREがCDM設定のために使われるが、独立してCDM typeで定義したことは後述するcomponent RE patternを同一なCDMグループに縛る方法がtype３とtype４によって異なるためである。
【０４５５】
図１４に提示された
2019531018.tif 000195
値がたくさん大きいか、または無線チャンネルのtime selectivityが強い場合、基地局がCDM８を設定する時、TD-FD-CDMに（CDM type in Table２）設定することよりFD-TD-CDMを設定することが有利でありうる。
【０４５６】
これとは反対に、チャンネルが時間軸にほとんど一定であれば、TD-FD-CDMを設定することによってpower boosting gainを得ることがFD-TD-CDM設定より有利でありうる。
【０４５７】
基本的なconceptは、次の通りである。
【０４５８】
Higher layer signalingを通じて（TD-FD-CDM、８）または（TD-CDM、４）設定時、図１４のcomponent RE patternsのうち、互いに異なるアルファベットと同一な整数インデックスで表示されているcomponent RE patternsが１つのCDM８グループに設定される。
【０４５９】
一方、higher layer signalingを通じて（FD-TD-CDM、８）または（FD-CDM、４）設定時、図１４のcomponent RE patternsのうち、同一なアルファベットと隣接した整数インデックスで表示されているcomponent RE patternsが１つのCDM８グループに設定される。詳細な内容は以下の通りである。
【０４６０】
component RE pattern（２、２）を有する３２ ports CSI-RSに対するCDM-８configuration
【０４６１】
（CDM type、CDM length）が（TD-FD-CDM、８）に設定されれば（表６参考）、component RE pattern（A、i）とcomponent RE pattern（B、i）が１つのCDM８ groupを構成する（CDMグループは異なるアルファベットと同一な整数に該当する２つの互いに異なる構成要素REパターンに構成される。）。ここで、
2019531018.tif 000196
【０４６２】
（CDM type、CDM length）が（FD-FD-CDM、８）に設定されれば（表６参考）、component RE pattern（A、i）とcomponent RE pattern（A、i+１）が１つのCDM８ groupを構成し、（B、i）とcomponent RE pattern（B、i+１）が１つのCDM８ groupを構成する。ここで、
2019531018.tif 000197
【０４６３】
例１）（FD-TD-CDM、８）設定時、図（figure７）に示したcomponent RE pattern ８個は、次のように４個のCDM groupに設定される。
【０４６４】
CDM group１：（A、１）、（A、２）
【０４６５】
CDM group２：（A、３）、（A、４）
【０４６６】
CDM group３：（B、１）、（B、２）
【０４６７】
CDM group４：（B、３）、（B、４）
【０４６８】
例２）（TD-FD-CDM、８）設定時、図１４に示したcomponent RE pattern８個は、次のように４個のCDM groupに設定される。
【０４６９】
CDM group１：（A、１）、（B、１）
【０４７０】
component RE pattern（A、１）及び（B、１）にCDM８ groupを設定するためには２つのcomponent RE patternのlocation情報を示す
2019531018.tif 000198
に対するsignalingが必要である。
【０４７１】
以下の他のCDM group設定も必要なsignalingは類似している。しかしながら、
2019531018.tif 000199
Δは共通情報であるので、１回だけ知らせてくれればよい。
【０４７２】
CDM group２：（A、２）、（B、２）
【０４７３】
CDM group３：（A、３）、（B、３）
【０４７４】
CDM group４：（A、４）、（B、４）
【０４７５】
component RE pattern（２、２）を有する３２ ports CSI-RSに対するCDM-４configuration
【０４７６】
（CDM type、CDM length）が（FD-CDM、４）に設定されれば（表６参考）、component RE pattern（A、i）とcomponent RE pattern（A、i+１）が２つのCDM４ groupを構成する。ここで、
2019531018.tif 000200
【０４７７】
（CDM type、CDM length）が（TD-CDM、４）に設定されれば（表６参考）、component RE pattern（A、i）とcomponent RE pattern（B、i）が２つのCDM４ groupを構成する。ここで、
2019531018.tif 000201
【０４７８】
component RE pattern（２、２）を有する２４ ports CSI-RSに対するCDM-８ configuration
【０４７９】
group Aとgroup Bの各々にcomponent RE patternが３個ずつある場合、（CDM type、CDM length）が（TD-FD-CDM、８）に設定できる（表６参考）。
【０４８０】
この際、component RE pattern（A、i）とcomponent RE pattern（B、i）が１つのCDM８ groupを構成する。ここで、
2019531018.tif 000202
【０４８１】
group Aにcomponent RE patternが４個があり、（（A、１）、（A、２）、（A、３）、（A、４））、group Bに２つが（（B、１）、（B、２））ある場合、（CDM type、CDM length）が（FD-TD-CDM、８）に設定できる（表６参考）。
【０４８２】
この際、component RE pattern（A、i）とcomponent RE pattern（A、i+１）が１つのCDM８ groupを構成し、component RE pattern（B、j）とcomponent RE pattern（B、j+１）が１つのCDM８ groupを構成する。ここで、
2019531018.tif 000203
【０４８３】
group Aにcomponent RE patternが２つが（（A、１）、（A、２））あり、group Bに４個が（（B、１）、（B、２）、（B、３）、（B、４））ある場合、（CDM type、CDM length）が（FD-TD-CDM、８）に設定できる（表６参考）。
【０４８４】
この際、component RE pattern（B、i）とcomponent RE pattern（B、i+１）が１つのCDM８ groupを構成し、component RE pattern（A、j）とcomponent RE pattern（A、j+１）が１つのCDM８ groupを構成する。ここで、
2019531018.tif 000204
【０４８５】
group Aにcomponent RE patternが６個が（（A、１）、（A、２）、（A、３）、（A、４）、（A、５）、（A、６））あり、group Bにはcomponent RE patternがない場合、（CDM type、CDM length）が（FD-TD-CDM、８）に設定できる（表６参考）。
【０４８６】
この際、component RE pattern（A、j）とcomponent RE pattern（A、j+１）が１つのCDM８ groupを構成する。ここで、
2019531018.tif 000205
【０４８７】
group Aにcomponent RE patternがなく、group Bに６個がある場合にも同一に適用することができる。
【０４８８】
component RE pattern（２、２）を有する２４ ports CSI-RSに対するCDM-４configuration
【０４８９】
（CDM type、CDM length）が（FD-CDM、４）に設定されれば（表６参考、group Aまたはgroup Bにcomponent RE pattern ６個が全てある場合のみに（FD-CDM、４）設定を許容する）、component RE pattern（A、i）とcomponent RE pattern（A、i+１）が２つのCDM groupを構成する。ここで、
2019531018.tif 000206
【０４９０】
（CDM type、CDM length）が（TD-CDM、４）に設定されれば（表６参考、Group A及びGroup BにComponent RE patternを３個ずつ配置した場合のみに限定する）、component RE pattern（A、i）とcomponent RE pattern（B、i）が２つのCDM groupを構成する。ここで、
2019531018.tif 000207
【０４９１】
component RE pattern（２、２）を有する１６ ports CSI-RSに対するCDM-８configuration
【０４９２】
group Aとgroup Bの各々にcomponent RE patternが２つずつある場合、（CDM type、CDM length）が（TD-FD-CDM、８）に設定できる（表６参考）。
【０４９３】
この際、component RE pattern（A、i）とcomponent RE pattern（B、i）が１つのCDM８ groupを構成する。また、（CDM type、CDM length）が（FD-TD-CDM、８）に設定できる（表６参考）。この際、component RE pattern（A、i）とcomponent RE pattern（A、i+１）が１つのCDM groupを構成し、component RE pattern（B、i）とcomponent RE pattern（B、i+１）が１つのCDM groupを構成する。ここで、
2019531018.tif 000208
【０４９４】
group Aにcomponent RE patternが４個が（（A、１）、（A、２）、（A、３）、（A、４））あり、group Bにはcomponent RE patternがない場合、（CDM type、CDM length）が（FD-TD-CDM、８）に設定できる（表６参考）。
【０４９５】
この際、component RE pattern（A、j）とcomponent RE pattern（A、j+１）が１つのCDM８ groupを構成する。ここで、
2019531018.tif 000209
【０４９６】
group Aにcomponent RE patternがなく、group Bに４個がある場合にも同一に適用することができる。
【０４９７】
component RE pattern（２、２）を有する１６ ports CSI-RSに対するCDM-４configuration
【０４９８】
（CDM type、CDM length）が（FD-CDM、４）に設定できる（表６参考）。この際、以下の２つ場合に分けて説明する。
【０４９９】
group Aとgroup Bに各々component RE patternが２つずつある場合、component RE pattern（A、i）とcomponent RE pattern（A、i+１）が２つのCDM４ groupを構成し、component RE pattern（B、i）とcomponent RE pattern（B、i+１）が２つのCDM４ groupを構成する。ここで、
2019531018.tif 000210
【０５００】
group Aにcomponent RE patternが４個があり、group Bにはcomponent patternがない場合、component RE pattern（A、i）とcomponent RE pattern（A、i+１）が２つのCDM４ groupを構成する。ここで、
2019531018.tif 000211
【０５０１】
反対に、Group Bにcomponent RE patternが４個があり、group Aにはcomponent RE patternがない場合にも同一に適用することができる。
【０５０２】
（CDM type、CDM length）が（TD-CDM、４）に設定できる（表６参考、group Aとgroup Bに各々component RE patternが２つずつある場合のみ該当する）。component RE pattern（A、i）とcomponent RE pattern（B、i）が２つのCDM４ groupを構成する。同一なCDM groupは同一なsubcarrierの上にある。ここで、
2019531018.tif 000212
【０５０３】
より柔軟なCSI-RS RE pattern設定及びこれと共にCDM設定のためにcomponent RE pattern（２、２）を使用することより（２、１）を使用することを考慮することができる。
【０５０４】
まず、３２-port CSI-RSに対して説明した以後に、これより少ないport個数に対して適用または変更して適用する。
【０５０５】
３２-port CSI-RS RE patternを図１８に示したように、４個のグループに分けて決定することができる。
【０５０６】
前述したように、CDM type及びCDM lengthが（TD-FD-CDM、８）が設定されれば、総１６個のcomponent RE patternsのうち、アルファベットは互いに異なり、同一な自然数で表示されたcomponent RE patternが１つのCDM８ groupを構成する。詳細な内容は以下の通りである。
【０５０７】
図１８は、component RE pattern（２、１）を有する３２-port CSI-RSの一例を示す。
【０５０８】
component RE pattern（２、１）を有する３２ ports CSI-RSに対するCDM-４configuration
【０５０９】
（CDM type、CDM length）が（FD-CDM、４）に設定されれば（表６参考）、component RE pattern（A、i）とcomponent RE pattern（A、i+１）が２つのCDM groupを構成する。
【０５１０】
同様に、component RE pattern（B、i）と（B、i+１）、component RE pattern（C、i）と（C、i+１）、component RE pattern（D、i）と（D、i+１）が各々１つのCDM４ groupを構成する。ここで、
2019531018.tif 000213
【０５１１】
（CDM type、CDM length）が（TD-CDM、４）に設定されれば（表６参考）、component RE pattern
2019531018.tif 000214
, 
2019531018.tif 000215
が２つのCDM４ groupを構成する。ここで、
2019531018.tif 000216
【０５１２】
（CDM type、CDM length）が（TD-FD-CDM、４）に設定されれば（Table２参考）、component RE pattern
2019531018.tif 000217
, 
2019531018.tif 000218
が１つのCDM４ groupを構成し、類似するようにcomponent RE pattern
2019531018.tif 000219
が１つのCDM４ groupを構成する。ここで、
2019531018.tif 000220
【０５１３】
（CDM type、CDM length）が（TD-FD-CDM、４）に設定されれば（Table２参考）、component RE pattern
2019531018.tif 000221
, 
2019531018.tif 000222
が１つのCDM４ groupを構成し、類似するようにcomponent RE pattern
2019531018.tif 000223
が１つのCDM４ groupを構成する。ここで、
2019531018.tif 000224
【０５１４】
component RE pattern（２、１）を有する３２ ports CSI-RSに対するCDM-８configuration
【０５１５】
（CDM type、CDM length）が（TD-FD-CDM、８）に設定されれば（Table２参考）、component RE pattern（A、i）、（B、i）、（C、i）、（D、i）が１つのCDM８ groupを構成する。即ち、CDMグループは異なるアルファベットと同一な整数に該当する２つの互いに異なる構成要素REパターンに構成される。ここで、
2019531018.tif 000225
【０５１６】
（CDM type、CDM length）が（FD-FD-CDM、８）に設定されれば（Table２参考）、時間軸に隣接した２グループの中にある２つの周波数軸に隣接したcomponent RE patternsが１つのCDM８ groupを形成する。Time/frequency channel selectivityを考慮した時、隣接したcomponent RE patternは同一なCDM groupに設定することが好ましい。図１８でcomponent RE pattern ４個
2019531018.tif 000226
, 
2019531018.tif 000227
が１つのCDM８ groupを構成する。ここで、
2019531018.tif 000228
【０５１７】
２４portsの場合、図１８に図示した３２-port CSI-RS RE patternを変形して次のようなRE patternを考えて見ることができる。
【０５１８】
（A、４）、（B、４）、（C、４）、（D、４）で表示されたcomponent RE patternは４個を除去し、（TD-CDM、４）、（TD-FD-CDM、４）、（TD-FD-CDM、８）設定時、前記component RE pattern（２、１）を有する３２ ports CSI-RSに対するCDM-４configuration/component RE pattern（２、１）を有する３２ ports CSI-RSに対するCDM-８configurationで言及したようにCDM groupを構成することができる。
【０５１９】
（C、３）、（C、４）（D、３）、（D、４）で表示されたcomponent RE patternは４個を除去し、（TD-FD-CDM、４）設定時、前記component RE pattern（２、１）を有する３２ ports CSI-RSに対するCDM-４configurationで提示したような方法によりCDMグループを構成することができる。
【０５２０】
また、component RE pattern（２、２）と（２、１）を除外した他のcomponent RE patternに対しても本発明で提示した原理は直感的に拡張／適用／変形可能である。
【０５２１】
次に、component CSI-RS RE patternの周波数RE位置のindicationについて、より具体的に説明する。
【０５２２】
component CSI-RS RE patternsのfrequency RE offsetを考慮したJoint encoded表について説明する。
【０５２３】
Component RE pattern（２、１）４個から構成される８-port CSI-RS、Component RE pattern（２、２）４個から構成される１６-port CSI-RS、Component RE pattern（２、２）８個から構成される３２-port CSI-RSである場合、component CSI-RS RE patternの周波数位置を（subcarrier index or subcarrier location）設定／定義／指示するために、以下の表７で提示されたjoint encoded tableを提案する。
【０５２４】
表７は、図１９に示したcomponent RE pattern間の可能なRE offset値を示す。即ち、
2019531018.tif 000229
を示す。
【０５２５】
８／１６／３２-port CSI-RS RE patternを設定／指示／定義するために、端末と基地局は予め約束／定義された情報にて表７の一部または全体を共有することができ、表７に提示されたindexはCSI-RS configuration indexとして使われることができる。
【０５２６】
基地局はRRCなどのhigher layer signalingそして／またはDCI/MAC-CEなどのlower layer signalingを通じて端末に８／１６／３２-port CSI-RS RE patternの周波数RE位置（subcarrier index）を設定／指示／定義することができる。
【０５２７】
３２-port CSI-RSの場合、図１４のgroup A及びgroup Bに属したcomponent RE patternを独立して設定することもでき、一方のみ設定／定義し、他のgroupはOFDM symbol indexのみ異なり、同一に設定することができる（uniform pattern）。
【０５２８】
表７の各configuration indexに該当するRE patternは（８／１６／３２-port）CSI-RS resourceを定義することに含み／共有されることができ、１つ以上の（８／１６／３２-port）CSI-RS resource setとして定義できる。
【０５２９】
１２ bits bit-mapを使用して８／１６／３２-port CSI-RS RE patternの周波数RE位置を指示することを考えることができる。Component RE patternが位置するsubcarrierは‘１’と示し、位置しないsubcarrierは‘０’と表示することができる。このような場合、component RE pattern間のoverlappingを許容して提案する方式より、一層柔軟で、かつ自由にcomponent RE pattern位置を指示することができるが、component patternのoverlappingが許容された場合を使用することは実効性が低い。
【０５３０】
したがって、具現複雑度などを考慮してbit-map基盤にcomponent RE patternを指示／設定する方法において、表７に提示したbit-mapを12 bits bit-mapの（configurable）subsetとしてbit-map基盤のcomponent RE patternの周波数位置指示／設定のために使用することを提案する。
【０５３１】
また、component RE patternのstarting RE positionを（または、component CSI-RS RE patternのreference RE position）‘１’と示す場合、１１ bits bit-mapでcomponent RE patternの周波数位置を設定／指示が可能である。
【０５３２】
このような１１ bits bit-mapに基づいてcomponent RE patternの位置を指示する場合にも、以下の表７に該当するRE patternの全部または一部分をcomponent RE pattern（２、２）のfrequency positionを決定／指示／設定する１１ bits bit-mapのsub-setに使用することを提案する。
【０５３３】
例えば、configuration index ０に該当する（４、０、０、０）を（または、１２ bits bit-map：［００ ００ １１ １１ １１ １１］）component RE patternのstarting positionを１と示す１１ bits bit-mapで示すと、‘００００１０１０１０１’である。これは、表７に提示された全ての場合に直感的に拡張できる。
【０５３４】
表７の全体または一部の情報が基地局と端末との間の予め約束／定義されたCSI-RS RE patternのpool/set/dedicated resourceなどに定義されることができ、基地局が端末に各々のRE pattern poolに該当するconfiguration indexをRRCのhigher layer signalingまたはDCI/MAC-CEなどのdynamic singlingを通じて指示することができる。
【０５３５】
また、基地局は表７の全体または一部の情報をCSI-RS RE patternのpool/set/dedicated resourceにRRCなどのhigher layer signalingを通じて端末に設定／定義／指示することができる。
【０５３６】
２４-port CSI-RSのように、同一なOFDM symbolに位置するcomponent RE pattern個数が４個でない場合にも前述したように、表７と類似するテーブルを構成することができる。
【０５３７】
したがって、１つのPRBを構成するsubcarrier個数が１２でない異なる場合、及び８／１６／３２ portの以外の場合にも説明する内容が適用または拡張できるので、本発明の思想に含まれるものと見ることができる。
【０５３８】
【表７−１】
2019531018.tif 000230
【０５３９】
【表７−２】
2019531018.tif 000231
【０５４０】
図１９は、本明細書で提案するCSI-RS RE mapping方法の更に他の一例を示す。
【０５４１】
次に、Hybrid type、即ち、component CSI-RS RE patternsのfixed及びflexible candidate locationsについて説明する。
【０５４２】
基地局と端末は可能なcomponent CSI-RS RE pattern frequency/time位置を予め約束することができ、基地局はこれを端末に指示／設定することができる。
【０５４３】
LTEの場合、component CSI-RS RE patternの可能な位置はPRB上で固定されており、これらのうちの一部分または全部を選択して使用する。
【０５４４】
これは、基地局がCSI-RS RE patternを設定することに大きく制限になることがある。
【０５４５】
一方、flexibilityが大き過ぎれば、それに従う具現複雑度などが増加する短所があるので、次のものを提案する。
【０５４６】
基地局はRRCなどのhigher layer signalingを通じてRE patterns for X-port CSI-RSを（X=８、１２、１６、２４、３２）決定するために、１つのOFDM symbol indexとX/４個のconfiguration indexを端末に設定／指示することができる。
【０５４７】
指示されるOFDMシンボルインデックスは図２０または図２１のgroup１のstarting OFDM symbolインデックスであって、group１のsymbol位置は基地局の設定／指示／定義によって変更できる。
【０５４８】
Group２は予め定義／約束された位置に固定されている（e.g., OFDM symbol index９、１０または１２、１３）。
【０５４９】
X／４個のconfigurationインデックスはX／４個のcomponent CSI-RS RE pattern（２、２）位置を端末に指示／設定／定義するためである。
【０５５０】
または、指示されるOFDMシンボルインデックスが図２０または図２１のgroup２のstarting OFDM symbolインデックスであって、group２のsymbol位置は基地局の設定／指示／定義に従って変更されることができ（例えば、group２の位置は２〜１３シンボルのうちの１つに指示できる）、group１のfrequency/symbol位置が基地局と端末との間の予め約束／定義された位置に固定できる。
【０５５１】
例えば、group１の固定された位置はsymbol index３、４、５、６または１０、１１、１２、１３である。
【０５５２】
X／４個のconfigurationインデックスはX／４個のcomponent CSI-RS RE pattern（２、２）位置を端末に指示／設定／定義するためである。
【０５５３】
追加的に、図２０または図２１のようにpossible locationが異なるpossible location patternに対するconfiguration indexを設定／指示し、設定されたpossible location patternの中で（例えば、図２０または図２１に提示されたpossible location patternのうちの１つを設定／指示／定義する）starting OFDM symbol indexと共にcomponent RE patternの位置を端末に定義／設定／指示することができる。
【０５５４】
図２０は、component CSI-RS RE pattern（２、２）の可能な位置を示す。
【０５５５】
図２１は、component CSI-RS RE pattern（２、２）の可能な位置の更に他の一例を示す。
【０５５６】
基地局はRRCなどのhigher layer signalingを通じてX-port CSI-RS RE patternを（X=２、８、１２）決定するために１つのOFDM symbol indexとX／２つのconfiguration indexを端末に設定／指示することができる。
【０５５７】
指示されるOFDMシンボルインデックスは図２２または図２３に表示されたgroup１のstarting OFDM symbolインデックスであって、group１のsymbol位置は基地局の設定／指示／定義によって変更できる。
【０５５８】
Group２は予め定義／約束された固定されたcomponent CSI-RS RE pattern（２、１）の指示／設定／定義可能な位置である（e.g., symbol index９、１０、または１２、１３）。
【０５５９】
X／２つのconfigurationインデックスはX／２つのcomponent CSI-RS RE pattern（２、１）位置を端末に指示／設定／定義するためである。
【０５６０】
または、指示されるOFDMシンボルインデックスが図２２または図２３に示したgroup２のstarting OFDM symbolインデックスであって、group２のsymbol位置は基地局の設定／指示／定義によって変更されることができ（例えば、group２の位置は２〜１３シンボルのうちの１つに指示できる）、group１のfrequency/symbol位置が基地局と端末との間の予め約束／定義された位置に固定できる（e.g., group１の固定された位置：symbol index３、４、５、６、または１０、１１、１２、１３）。
【０５６１】
X／２つのconfiguration indexはX／２つのcomponent CSI-RS RE pattern（２、１）位置を端末に指示／設定／定義するためである。
【０５６２】
図２２は、component CSI-RS RE pattern（２、１）のconfigurable locationの一例を示した図である。
【０５６３】
図２３は、component CSI-RS RE pattern（２、１）のconfigurable locationの更に他の一例を示した図である。
【０５６４】
次に、NRとLTEなどの共存（co-existence）と関連した事項について説明する。
【０５６５】
NR端末がLTE網で動作する時、０−１３番（１４個）OFDM symbolsのうち、 ５、６、９、１０、１２、１３番目のsymbolのうちの１つ以上のシンボルのみにCSI-RSを受信する。
【０５６６】
LTE端末がNR網で動作する時、０−１３番（１４個）OFDM symbolsのうち、 ５、６、９、１０、１２、１３番目のsymbolのうちの１つ以上のシンボルのみにCSI-RSを受信する。
【０５６７】
そして、NR端末がLTE網で動作する時、０−１３番OFDMシンボルのうち、９番そして／または１０番のシンボルのみにbeam management CSI-RSを受信する。
【０５６８】
即ち、端末は９番及び１０番のシンボルの以外に他のシンボルでbeam management CSI-RS受信を期待しない。
【０５６９】
NR端末がLTE網で動作する時、端末はCDM-８設定を期待しない。
【０５７０】
NR基地局が自身がサービスする端末のNRシステム支援有無を（UE capability）implicitlyまたはexplicitly認知すれば、NR基地局はLTE端末に４-port CSI-RSを設定／指示しない。LTE端末もNR網で４-port CSI-RS設定を期待しない。
【０５７１】
NR基地局は、LTE端末にCDM-８を設定／指示しない。
【０５７２】
NR端末は４-port CSI-RSに対する設定／指示を通じて端末は自身が属した網がLTE網かNR網かを区分することができ、これを基地局にreportingすることができる。
【０５７３】
１２-port MRS設定時、端末は２４-portまたは３２-port CSI-RSに対してCDM-８の以外の他の設定を期待しない。High layer（high rank）データ転送時、正確なチャンネル情報が保証されなければ、高いmultiplexing gainによるthroughput（capacity）利得がsmall layer（low rankまたはsmall number of data streams）データ転送よりむしろ低いことがあるので、high port-DMRS設定時、正確なチャンネル情報を獲得するためにCDM gainを獲得することは重要であるということができる。
【０５７４】
次に、DMRS RE patternを考慮したCSI-RS RE patternについて説明する。
【０５７５】
追加的な（Additional）DMRSが指示／設定されれば、端末はCDM-８設定を期待しない。
【０５７６】
Additional DMRSが指示／設定されれば、端末は設定されるadditional DMRS symbolにCSI-RS REが設定／指示されることを期待しない。
【０５７７】
８-port以上のadditional DMRS指示／設定されれば、端末はadditional DMRSシンボル位置にCSI-RS REが設定／指示されることを期待しない。
【０５７８】
NRはLTE端末を考慮した時、１４個のシンボルから構成された（normal）slot/PRBで５、６、９、１０、１２、１３番のOFDMシンボルのうち、少なくとも１つ以上のシンボルでCSI-RS信号（シーケンス）転送を支援しなければならない。
【０５７９】
次に、DMRS RE位置に依存（dependent）するようCSI-RS RE位置を決定する方法について説明する。
【０５８０】
３２-port CSI-RSを例に挙げて説明する。
【０５８１】
N=１の２-port additional DMRSまたはN=２の４-port additional DMRSを設定する時、３２-port CSI-RS resourceに対するRE patternは、図２４のように総８個のcomponent CSI-RS RE patternが各々５個及び３個ずつgroup A及びgroup Bに位置する。この際、Group Bに位置する３個のcomponent CSI-RS RE patternのfrequency RE位置は（subcarrier index）additional DMRS REに隣接するように（DMRS RE位置にtieさせて）図２４のように設定する。端末は以外の設定／指示を期待しない。
【０５８２】
Group Aの５個のcomponent CSI-RS RE patternのfrequency RE位置は（subcarrier index）図２４のように固定し、５個のcomponent RE patternのtime RE位置は（シンボル位置）front loaded DMRSの最後のシンボルの直ぐ後に隣接するように設定する。端末は、以外の設定／指示を期待しない。
【０５８３】
図２４は、本明細書で提案するCSI-RS RE位置の一例を示した図である。
【０５８４】
次に、２４-port CSI-RSを例に挙げて説明する。
【０５８５】
N=１の２-port additional DMRSまたはN=２の４-port additional DMRSを設定する時、またはこれを考慮して、２４-port CSI-RS resourceに対するRE patternは図２５のように総６個のcomponent CSI-RS RE patternが各々３個ずつgroup A及びgroup Bに位置する。
【０５８６】
この際、group Aのcomponent RE patternのsymbol位置はfront-loaded DMRSの最後のシンボルの次のOFDMシンボルに位置させ、frequency RE位置はgroup Bのcomponent RE patternのfrequency RE位置と同一に設定する。端末は、以外の設定を期待しない。
【０５８７】
N=２の８-port additional DMRSまたはN=１の４-port additional DMRSを設定する時、２４-port CSI-RS RE patternは図２６に図示したようにgroup Aにcomponent RE pattern ６個、group Bにcomponent RE pattern １つが位置する。
【０５８８】
Group Aの５個のcomponent RE patternのfrequency RE offsetは全て０であり、symbol locationはfront load DMRSの最後のシンボルの直ぐ次のシンボルに決定する。Group Bの１つのcomponent RE patternのfrequency RE offsetは４、symbol locationはadditional DMRSのシンボル位置に決定する。端末は、以外の設定は期待しない。
【０５８９】
図２５は、追加的な４-port MRS REを有する２４-port（uniform）CSI-RS RE位置の一例を示した図である。
【０５９０】
図２６は、追加的な８-port MRS REを有する２４-port（uniform）CSI-RS RE位置の一例を示した図である。
【０５９１】
次に、他のRSを考慮したcomponent CSI-RS RE pattern location indicationに対するsignaling方法について説明する。
【０５９２】
RRCなどのhigher layer signalingを通じて設定されたPTRS/TRS/DMRSなどに対して、PTRS/TRS/DMRS REのPRB上の存在有無（PRB上のPTRS/TRS/DMRS RE on/offまたはactivation/deactivationを意味）そして／またはこれらのRE patternがL１/L２ signalingそして／またはhigher layer signalingを通じて端末にimplicitly/explicitly指示できる。
【０５９３】
指示される１つまたは１つ以上のCSI-RS/PTRS/TRS/DMRS REの存在有無及びこれらのRE patternに従って基地局は（依存的に）CSI-RS/PTRS/TRS/DMRS RE位置を設定／再設定し、RRCなどのhigher layer signalingそして／またはL１/L２などのlower layer signalingを通じて端末にimplicitly/explicitly設定／指示することができる。
【０５９４】
このような概念はRSだけでなく、PDCCHなどのチャンネルにも適用される。即ち、PDCCHなどを考慮したcomponent CSI-RS RE pattern location indicationも前記の内容に従うことができる。
【０５９５】
例えばCSI-RSの場合、同一PRBの中にCSI-RS REの以外に他のRS REそして／またはPDCCHなどのチャンネルREが存在しない場合、CSI-RS REと共にPTRS REそして／またはTRS REそして／またはfront loaded DMRS REそして／またはadditional DMRS REが存在する場合、前記case及びこれらのRE patternを考慮してRE-mapping patternが含まれた多数個のCSI-RS resourceを定義／設定し、これらを元素として有する１つまたは１つ以上のCSI-RS resource setを定義／設定することができる。
【０５９６】
基地局は同一PRBの中にCSI-RS RE及びPTRS/TRS/front loaded DMRS/additional DMRSのうちの１つ以上の他のRS REが存在／存在しないことに（on/off）よって、RS REの間のcollisionなどを考慮して適切なCSI-RS resourceをCSI-RS resource setより選択することができ、これをL１ and/or L２ signalingを通じて端末に指示／定義／設定することができる。
【０５９７】
特に、TRSは（reference signals for time/frequency tracking）cell-specific特性の大きいRSに考慮できるので、TRS REの設定／存在有無及びTRS RE patternに従って（Resource setting/CSI resource setに定義された）CSI-RS resourceを選択して使用することによって、２つのRS REの間の衝突を効果的に防止することができる。
【０５９８】
特に、１-port CSI-RS resourcesをTRSに使用する場合、TRS設定のために使用する１-port CSI-RS resourceとCSI acquisitionのために使用するCSI-RS REの間のoverlapping/collisionなどを考慮してCSI-RS resourceの間の効果的なjoint selectionを考慮することができる。
【０５９９】
一例に、基地局はPTRS REがない場合に使用する（RRCなどのhigher layer signalingを通じて端末にPTRSに対する設定はするが、MCSに従ってL１/L２signalingを通じてPTRS REがactivation（on）されない場合を意味する。PTRS REが存在しない部分に対する以後の技術は同一な意味である）component CSI-RS RE patternの位置を定義し（一例に、常に全てのcomponent CSI-RS RE patternがfrequency axisに隣接するように設定することを考慮することができる）、PTRS RE位置を考慮してPTRS RE存在時に使用するcomponent CSI-RS RE patternの位置を別途に定義することができる（一例に、component RE patternの間の周波数軸離隔が（subcarrier RE offset）あるように設定することができる）。
【０６００】
基地局は２つ場合に対するcomponent CSI-RS RE pattern位置情報をRRCなどのhigher layer signalingを通じて端末に設定／指示し、端末はMCSに従って設定／指示されるPTRS REの設定／指示／activationに従って設定されたCSI-RS RE patternを認知する。
【０６０１】
X-port CSI-RS設定時（X＜２４）基地局は多数個のcomponent CSI-RS RE patternが常に１つのfrequency RE offsetが（周波数軸離隔）ある２つのREグループから構成されるようにRE patternを設定することができる。
【０６０２】
端末また前記設定の以外に他のRE patternが設定されることを期待しない。
【０６０３】
一例に、component CSI-RS pattern（２、１）は４個にRE patternを生成するX=８の場合に対し、図２７から図２９に図示した。
【０６０４】
参考に、component RE patternが位置しているsubcarrier位置を１と表示するbit-mapにRE pattern表示方法に対して基地局と端末が約束することができる。
【０６０５】
component CSI-RS RE pattern（２、１）を有する８-port CSI-RS resourceに対し、図２７から図２９の３種類のRE-mappingパターンに対し、各々互いに異なる８-port CSI-RS resourceとして定義することができる。
【０６０６】
このように、one RE offsetが（周波数軸離隔）ある２つのREグループでCSI-RS RE patternが構成される全ての場合に対して（可能な全ての
2019531018.tif 000232
を考慮して）１つのCSI-RS resource setを構成／定義し、これをhigher layer signalingを通じて端末に設定することができる。
【０６０７】
MCSに従ってPTRS REがOn（または、activation）されれば、基地局はPTRS RE位置を考慮して定義された前記CSI-RS resource setから特定CSI-RS resourceを選択してL１/L２などのlower layer signalingを通じて端末に指示／定義または設定することができる。
【０６０８】
前記の説明はX=８の他にも直感的に拡張／適用できるので、X=８の以外の場合も本発明の思想に含まれると見ることができる。
【０６０９】
Component RE pattern間のfrequency offsetは（ex：８-port caseである場合、
2019531018.tif 000233
）RE-mappingを定義するものであって、CSI-RS resource（definition）に含まれることができる。
【０６１０】
X＞=２４の場合、基地局はcomponent CSI-RS RE patternの間に周波数軸だけでなく、時間軸にも離隔がある（OFDM symbol RE offsetがある）総４個のREグループに設定し、端末も以外の設定を期待しない。一例に、３２-port CSI-RS RE patternは図３０のように設定できる。
【０６１１】
図２７から図２９は、８-port CSI-RS RE patternに対する一例を示す。
【０６１２】
２つ以上のcomponent CSI-RS RE patternに定義されるX-port CSI-RS設定時、シグナリングオーバーヘッドを最小化するために、基地局は図２７のようにREグループの間のRE offsetを０または１のみに設定することができる。端末も前記設定の以外の設定を期待しない。
【０６１３】
追加的に、X=３２の場合、PTRSがMCSレベルに従ってimplicitly indicationされる時、group A及びgroup Bに属したcomponent CSI-RS RE pattern個数は、各々４個に設定されることができ、基地局の別途の指示／設定がなくても端末はこれを認知することができる。
【０６１４】
最小限の次のconfiguration parameterが少なくともCSI獲得のためにRRCを通じて信号される。
【０６１５】
− N、M、及びL：暗示的または明示的に指示される
【０６１６】
− 各CSI報告設定で少なくとも次のような情報が信号される：
【０６１７】
・ 報告されたCSI parameter（s）、
【０６１８】
・ 報告された場合のCSI Type（IまたはII）、
【０６１９】
・ codebook subset restrictionを含むcodebook configuration、
【０６２０】
・ time domain behavior、
【０６２１】
・ CQI及びPMIに対するfrequency granularity、
【０６２２】
・ measurement restriction configurations
【０６２３】
− 各リソース設定（resource setting）で：
【０６２４】
・ S≧１CSI-RS resource set（s）のconfiguration
【０６２５】
・ REsにマッピング、ポート数、time-domain behaviorなどを少なくとも含む各set（s）に対するKs≧１ CSI-RS resourceのconfiguration
【０６２６】
− CSI measurement settingでL個のリンクの各々で：
【０６２７】
CSI reporting setting indication、resource setting indication、測定されるquantity（channelまたはinterference）
【０６２８】
・ １つのCSI report settingの１つ以上のresource settingとlinkできる。
【０６２９】
・ 多数のCSI reporting settingは同一なresource settingにlinkできる。
【０６３０】
・ 少なくとも次はL１またはL２信号方式により動的に選択される（該当する場合）。
【０６３１】
− CSI measurement setting内の１つまたは多数のCSI report settings
【０６３２】
− 少なくとも１つのresource settingより選択された１つ以上のCSI-RS resource sets
【０６３３】
− 少なくとも１つのCSI-RS resource setより選択された１つ以上のCSI-RS resource
【０６３４】
更に他の一例に、Aperiodic（AP）/Semi-persistent CSI-RSで設定／使用するCSI-RS RE patternとperiodic CSI-RSで設定／使用するCSI-RS RE patternを別途に定義し、端末に指示することができる。
【０６３５】
Periodic CSI-RSは他のRS REを考慮せず、component CSI-RS RE patternが時間軸そして／または周波数軸に隣接するように設定し、Aperiodic（AP）/Semi-persistent（SP）CSI-RSはPTRS/TRS/DMRSなどの他のRS REが設定される位置を考慮してcomponent CSI-RS RE patternの間の周波数軸離隔が（subcarrier RE offset）あるように設定することができる。
【０６３６】
基地局がCSI-RS REの以外の他のRS RE activationを端末にimplicitly/explicitly指示する時、これと共に設定されるCSI-RS RE patternを端末が認知することができるようにAP/SPCSI-RSを指示／活性化することができる。
【０６３７】
他の方法に、DCI/MAC-CEなどのL１/L２ signalingを通じて全体または一部component CSI-RS RE patternの位置を再設定／設定／指示する方法がある。
【０６３８】
これに対する一例に、図３０に示した
2019531018.tif 000234
値のみ追加的に端末に設定／指示することができる。
【０６３９】
暗示的再設定／指示（implicit reconfiguration/indication）方式により、基地局と端末は指示されるPTRS RE存在有無によってcomponent CSI-RS RE patternの位置を再設定する約束された規則に従って動作することができる。
【０６４０】
一例に、３２-port CSI-RS RE patternに各グループで４個のcomponent RE patternが全て隣接するように既に設定されているが、設定される１つ以上のPTRS REがcomponent CSI-RS RE pattern（W、i）位置と重なる場合に対して次のような動作を約束することができる。
【０６４１】
iより大きいか等しいcomponent RE pattern（W、i）の位置を周波数軸に１REまたは２REだけ移動させる。（
2019531018.tif 000235
、図３０参考）
【０６４２】
この際、component RE patternの位置がPRB boundaryを超える場合、iより小さいか等しいcomponent RE pattern（W、i）の位置を周波数軸に１REだけ移動させる。
【０６４３】
最悪の場合（PTRS REと衝突を避けられない場合）、PTRS REをpuncturingする。
【０６４４】
図３０は、PTRS及び３２-port CSI-RSのRE patternの一例を示す。
【０６４５】
TRS（Tracking RS）REを考慮した（３２-port）CSI-RS RE frequency-axislocationについて説明する。
【０６４６】
３２-port CSI-RSの場合、TRS（Tracking Reference Signal）シンボルの２つが１つのOFDMシンボル離隔を置いて位置する場合（onetime-axis RE offset）、CSI-RS REとTRS REがFDMされることを考慮してcomponent CSI-RS RE pattern位置決定方法について説明する。
【０６４７】
Comb-４ TRSがhigher layer signalingを通じて設定／指示されれば、３２-port CSI-RS設定のためにcomponent CSI-RS RE pattern（２、２） ８個のPRB上の位置を次の通り設定することができる。
【０６４８】
端末は図３１及び図３２のように同一なOFDMシンボルにTRS REとCSI-RS REが共に位置するgroup Aにはcomponent RE patternが３個であり、group Bにはcomponent RE patternが５個が位置することを自動で認知する。
【０６４９】
または、group A及びgroup Bに属したcomponent CSI-RS RE pattern（２、２）の個数が各々３と５であることをgNB/TRP/基地局が端末に指示する。
【０６５０】
group Aに属した（または、group Bに属した）component CSI-RS RE patternの個数のみ端末に指示されれば、group Bに属した（group Aに属した）component CSI-RS RE patternの個数は総ポート個数情報により端末は暗示的に認知する。
【０６５１】
（Comb-４、comb（RE）offsetが０であるTRS設定時）
【０６５２】
基地局は図３１に図示したように、component CSI-RS RE patternを位置させる。
【０６５３】
RRCなどのhigher layer signalingを通じて図３１に図示されたパラメータ
2019531018.tif 000236
が端末に指示／設定される。
【０６５４】
また、group Bに属した５個のcomponent RE patternに対するfrequency RE offset情報
2019531018.tif 000237
が端末に指示／設定される。
【０６５５】
Signaling overheadを最小化するために、端末は８個のcomponent RE patternに対するfrequency RE offset情報が指示されないことがある。
【０６５６】
即ち、端末はcomb-４、comb offsetが０であるTRSが設定されれば、（TRS RE patternを考慮してCSI-RS RE patternに対して基地局と端末が予め約束した）
2019531018.tif 000238
及び
2019531018.tif 000239
に設定されていることを自動で認知することができる。
【０６５７】
（Comb-４、comb（RE）offsetが１であるTRS設定時）
【０６５８】
2019531018.tif 000240
及び
2019531018.tif 000241
がRRCなどのhigher layer signalingを通じて端末に指示／定義される。
【０６５９】
追加的なシグナリング無しで端末は次のように基地局と予め約束されたパラメータ設定
2019531018.tif 000242
及び
2019531018.tif 000243
であることを自動で認知することができる。
【０６６０】
（Comb-４、comb（RE）offsetが２であるTRS設定時）
【０６６１】
図３１のように、
2019531018.tif 000244
または
2019531018.tif 000245
情報がRRCなどのhigher layer signalingを通じて端末に指示／定義され、
2019531018.tif 000246
がhigher layer signalingを通じて端末に指示／定義される。
【０６６２】
追加的なsignaling無しで、端末は予め約束されたパラメータ設定
2019531018.tif 000247
または
2019531018.tif 000248
、そして
2019531018.tif 000249
であることを自動で認知することができる。
【０６６３】
図３１は、TRSを有する３２-port CSI-RS RE patternの一例を示す。
【０６６４】
図３２は、TRSを有する３２-port CSI-RS RE patternの更に他の一例を示す。
【０６６５】
オーバーヘッド（overhead）を考慮したCSI-RS RElocationについて説明する。
【０６６６】
signaling overhead減少を目的にX-port CSI-RS RE patternを定義するために必要な全てのcomponent RE patternのうち、一部component RE patternの（１つまたは１つ以上）位置のみ端末に設定／指示し、残りのcomponent RE patternの位置は端末と基地局との間の予め約束されたパターンを通じて（または、予め約束されたdefault位置など）端末が認知するようにすることができる。
【０６６７】
端末と基地局との間の約束されたパターンは異なるRSそして／またはチャンネル（e.g. PDCCH）そして／またはCSI-RSportsの数（number of CSI-RS ports）などに従って定義できる。
【０６６８】
CSI-RS ports数に従って次のような規則／パターンなどがありうる。
【０６６９】
X=８ with component CSI-RS RE pattern（２、１）
【０６７０】
総４個のcomponent RE patternのうち、最初のcomponent RE patternの位置情報のみ（subcarrier indexなど）higher layer signalingを通じて端末に指示／定義／設定する。
【０６７１】
この場合、端末は指示を受けたcomponent RE patternの位置を基準に残りの３個のcomponent RE patternが周波数軸に隣接していることを認知する。
【０６７２】
総４個のcomponent RE patternのうち、２つの位置情報のみhigher layer signalingを通じて端末に指示／定義／設定する。
【０６７３】
一例に、図３３に図示したように、３個のcomponent RE patternは全て周波数軸に常に隣接するように位置させ（仮想的に（６、１）component RE patternと考えることができる）、１つのcomponent RE patternは残りの３個のcomponent RE patternとのRE offsetを許容することができる。
【０６７４】
または、総４個のcomponent RE patternのうち、２つずつ常に隣接するように設定することができる。
【０６７５】
総４個のcomponent RE patternのうち、３個に対する位置情報のみhigher layer signalingを通じて端末に指示／定義／設定する。
【０６７６】
一例に、図３４に図示したように、component RE pattern ２つは常に隣接し、残りの２つは自由に位置させることができる場合を考慮することができる。
【０６７７】
図３３から図３５は、本明細書で提案するCSI-RS RE mapping方法の一例を示した図である。
【０６７８】
X=８、X=１２、及びX=１６ with component CSI-RS RE pattern（２、２）
【０６７９】
まず、X=８の場合を説明する。
【０６８０】
図３５で、
2019531018.tif 000250
及び
2019531018.tif 000251
がない場合である。
【０６８１】
2019531018.tif 000252
または
2019531018.tif 000253
Δが基地局と端末との間の予め約束された値であり、higher layer signalingを通じて２つのパラメータのうちの１つを端末に指示／定義できる。
【０６８２】
次に、X=１２の場合を説明する。
【０６８３】
図３５で図示したRE offset
2019531018.tif 000254
のうちの１つまたは１つ以上の値を基地局が設定することができ、このような値はhigher layer signalingを通じて端末に指示／定義できる。
【０６８４】
次に、X=１６の場合を説明する。
【０６８５】
図３５で図示したRE offset
2019531018.tif 000255
,
2019531018.tif 000256
のうちの１つまたは１つ以上の値を基地局が設定することができ、このような値はhigher layer signalingを通じて端末に指示／定義できる。
【０６８６】
X=２４またはX=３２ with component CSI-RS RE pattern（２、２）
【０６８７】
まず、X=２４の場合を説明する。
【０６８８】
図１３及び図１４の“
2019531018.tif 000257
2019531018.tif 000258
, 
2019531018.tif 000259
”値のうちの１つまたは１つ以上の値が基地局と端末との間の予め約束された固定されたパラメータに設定／定義／約束されることができ（一例に、component RE patternが全て隣接しているようにdefaultに設定）、固定された値を除外したパラメータのみhigher layer signalingを通じて端末に指示／設定／定義できる。
【０６８９】
次に、X=３２の場合を説明する。
【０６９０】
signaling overheadを減らすために、図１３及び図１４の
2019531018.tif 000260
値を除外した“
2019531018.tif 000261
,
2019531018.tif 000262
”のうちの１つまたは１つ以上の値は基地局と端末との間の予め約束されたfixed parameterとして定義されることができ、これらを除外した値と
2019531018.tif 000263
値をhigher layer signaling通じて端末に指示／指定／定義することができる。
【０６９１】
具体的に、図３５は１６portsに対する可能なCSI-RS RE patternの一例を示す。
【０６９２】
Signaling overheadを考慮して端末は同一なPRBの中でX-port CSI-RSの以外に他のRSに（e.g. PTRS、TRS、DMRSなど）対する設定が指示されなければ、component CSI-RS RE patternの間の時間軸及び周波数軸離隔を（RE offset）期待しないことがある。
【０６９３】
次に、時間及び周波数trackingのためのCSI-RSについて説明する。
【０６９４】
１つ以上の１-port CSI-RS resourceそして／または１つ以上のsingle-symbol CSI-RS resourceを活用してtime及び／又はfrequency trackingのための目的に使用することができる。
【０６９５】
本発明は、単一−シンボルCSI-RS resourceのset（asetofsingle-symbol CSI-RS resource）に対するset configurationにTRS modeを“ON/OFF”に設定するinformation element（IE）を包含／定義することを提案する。
【０６９６】
TRS modeが“ON”に端末に指示／設定／定義されれば、端末は設定されたCSI-RSがtime及び／又はfrequency trackingのためのものであることを自動で認知／仮定する。
【０６９７】
TRS modeが“OFF”に端末に設定／定義／指示されれば、端末は設定されたCSI-RSはchannel acquisitionまたはbeam managementのためのものであることを認知する。
【０６９８】
本発明は、CSI-RS resource set configurationにCSI-RSのfunctionalityを示す“MODE”を示すinformation element（IE）を包含／定義することを提案する。
【０６９９】
提案する“MODE”は３種類の互いに異なる値を有することができる。例えば、“MODE”が“TRS（Tracking RS）”に端末に指示／設定されれば、端末は設定されたCSI-RSがtime及び／又はfrequency trackingのためのCSI-RSであることを認知する。
【０７００】
“MODE”が“CSI acquisition”に端末に指示／設定されれば、端末は設定／指示されたCSI-RSがCSI acquisitionのためのものであることを認知／仮定する。
【０７０１】
“MODE”が“beam management”に端末に指示／設定されれば、端末は設定／指示されたCSI-RSがbeam managementのためのCSI-RSであることを自動で認知／設定する。
【０７０２】
各々のモードを定義するために基地局と端末は可能な“MODE”値に０、１、２のような整数またはアルファベットなどを約束／定義することができる。
【０７０３】
Resource settingに独立してまたは互いに異なるRS typeとしてCSI-RS for CSI acquisition、CSI-RS for beam management、CSI-RS for time/frequency trackingを定義し、各々の目的に符合するように独立してreporting setting ３個を連結して使用することを提案する。
【０７０４】
設定／指示されるreporting settingに従って設定／指示されるCSI-RSの用途を認知し、相応する情報を（channel information、beam information、time/frequency tracking information）基地局に報告する。
【０７０５】
NRは、単一シンボルCSI-RSリソース集合の上位階層構成を支援する。設定構成は、反復（repetition）が“on/off”であるかを示す情報要素（IE）を含む。
【０７０６】
ここで、反復が“on/off”は次を意味する：
【０７０７】
− “オン（ON）”：UEはgNBが固定された送信ビームを維持すると仮定することができる。
【０７０８】
− “オフ（OFF）”：UEがgNBが固定された送信ビームを維持すると仮定することができない。
【０７０９】
次に、DMRS configurationを考慮したCSI-RS transmission symbolsについて説明する。
【０７１０】
基地局はAdditional DMRSが設定されないUEまたはUEグループとadditional DMRSが設定されるUEまたはUEグループに対し（RRCなどのhigher layer signalingを通じて）CSI-RS RE configurationを異なるように設定／指示／定義することができる。互いに異なるCSI-RS RE configurationは以下のように定義できる。
【０７１１】
− 指示／設定できるcomponent CSI-RS RE patternの位置は（pool）同一であるが、指示／設定されるcomponent CSI-RS RE patternの位置が異なる。
【０７１２】
− 指示／設定できるcomponent CSI-RS RE pattern位置が異なるか、または制限的である。
【０７１３】
− 指示／設定できるNZP CSI-RS位置が制限される。
【０７１４】
Additional DMRSが設定／指示された端末は（１つのslotが１４個のOFDMシンボルから構成されるnormal CPの場合）５番、６番、及び１２番、１３番（６th ７th １３th １４th）OFDMシンボルの以外に他のシンボルではNZP CSI-RSが転送されることを期待しない。
【０７１５】
即ち、端末は前記５番、６番及び１２番、１３番のシンボルの以外にCSI-RSが転送可能に既に設定された他のシンボルはNZP CSI-RSが設定／指示されることを自動で認知／仮定する。
【０７１６】
または、additional DMRSが設定されれば、端末は５番、６番及び１２番、１３番のOFDMシンボルの以外にCSI-RSが転送可能に設定されたシンボルでこれ以上CSI-RSが転送されないことを仮定／認知する。
【０７１７】
Additional DMRSが設定された端末はCDM-８設定を期待しない。
【０７１８】
指示されるSFI（Slot Format Indicator）に（downlink slotに含まれたuplink領域またはPDCSH REが含まれない領域に）従って端末は（既に設定されたCSI-RS転送可能なシンボルで）制限的／限定的なOFDMシンボルのみにCSI-RSが受信されることを仮定／期待することができる。
【０７１９】
または、指示されるSFIに（Slot Format Indicator）に（downlink slotに含まれたuplink領域またはPDCSH REが絶対に含まれない領域に）従ってDMRSが転送されるシンボルとCSI-RSが転送されるシンボルとの間の衝突／overlappingを避けるようにCSI-RSが転送されるシンボルが自動で変更されることを認知／期待／仮定することができる。具体的なslot format及び端末動作に対する例示は以下の通りである。
【０７２０】
− 図３６で左上段sub-figure（３６１０）のようなslotがSFIを通じて端末に指示／設定されれば、
【０７２１】
端末は２番、３番、８番、９番のシンボルでCSI-RSが転送されないと仮定する。
【０７２２】
端末は２番、３番のシンボルでCSI-RSが転送されないと仮定する。
【０７２３】
端末は８番、９番のシンボルでCSI-RSが転送されないと仮定する。
【０７２４】
端末は２番、３番、８番、９番、１１番、１２番、１３番のシンボルでCSI-RSが転送されないと仮定する。
【０７２５】
端末は２番、３番、８番、９番、１２番、１３番のシンボルでCSI-RSが転送されないと仮定する。
【０７２６】
端末は１１番、１２番、１３番のシンボルでCSI-RSが転送されないと仮定する。
【０７２７】
端末は１２番及び１３番のOFDMシンボルでCSI-RSが転送されないことを仮定する。
【０７２８】
端末は１２番及び１３番のOFDMシンボルで転送されるCSI-RSが１０番及び１１番のOFDMシンボルで転送されることを仮定する。
【０７２９】
− 図３６で右上段sub-figure（３６２０）のようなslotがSFIを通じて端末に指示／設定されれば、
【０７３０】
端末は２番、３番、１０番、１１番、１３番のシンボルでCSI-RSが転送されないと仮定する。
【０７３１】
端末は２番、３番、１０番、１１番のシンボルでCSI-RSが転送されないと仮定する。
【０７３２】
端末は２番、３番、１３番のシンボルでCSI-RSが転送されないと仮定する。
【０７３３】
端末は８番、９番、１３番のシンボルでCSI-RSが転送されないと仮定する。
【０７３４】
端末は２番、３番のシンボルでCSI-RSが転送されないと仮定する。
【０７３５】
端末は８番、９番のシンボルでCSI-RSが転送されないと仮定する。
【０７３６】
端末は１３番のOFDMシンボルでCSI-RSが転送されないことを仮定する。
【０７３７】
OFDMシンボルを１つのみ占めるX=１、２、４、８、１２が設定／指示される場合（X：the number of CSI-RS antenna ports）、１２番のシンボルのみでCSI-RSが転送されることを仮定する。
【０７３８】
− 図３６で左下段（３６３０）のsub-figureのようなslotがSFIを通じて端末に指示／設定されれば、
【０７３９】
端末は２番、３番、８番、９番、１２番、１３番のシンボルでCSI-RSが転送されないと仮定する。
【０７４０】
端末は２番、３番、８番、９番のシンボルでCSI-RSが転送されないと仮定する。
【０７４１】
端末は２番、３番、１２番、１３番のシンボルでCSI-RSが転送されないと仮定する。
【０７４２】
端末は８番、９番、１２番、１３番のシンボルでCSI-RSが転送されないと仮定する。
【０７４３】
端末は２番、３番のシンボルでCSI-RSが転送されないと仮定する。
【０７４４】
端末は８番、９番のシンボルでCSI-RSが転送されないと仮定する。
【０７４５】
端末は１２番及び１３番のOFDMシンボルでCSI-RSが転送されないことを仮定する。
【０７４６】
− 図３６で右下段のsub-figure（３６４０）のようなslotがSFIを通じて端末に指示／設定されれば、
【０７４７】
端末は２番、３番、１０番、１１番のシンボルでCSI-RSが転送されないと仮定する。
【０７４８】
端末は２番、３番のシンボルでCSI-RSが転送されないと仮定する。
【０７４９】
端末は１０番、１１番のシンボルでCSI-RSが転送されないと仮定する。
【０７５０】
X＜２４の場合、即ち、number of CSI-RS antenna portsが２４未満の場合、１２番、１３番、または９番、１０番のシンボルのみでCSI-RSが転送されることを仮定する。
【０７５１】
図３６は、２symbolに対するcontrol regionと２symbolの各々に対するfront-loaded及びadditional DMRSを示す。
【０７５２】
ここで、横縞領域（３６１１、３６２１、３６３１）はPDSCH REを含まない。
【０７５３】
左上側のsub-figure（３６１０）はOFDMシンボルインデックス１１、１２、１３であり、右上側のsub-figure（３６２０）の横縞領域（３６２１）はOFDMシンボルインデックス１３であり、左下側のsub-figure（３６３０）の横縞領域（３６３１）はOFDMシンボルインデックス（１２、１３）であり、右下側のsub-figure（３６４０）に対する横縞領域はない。
【０７５４】
図３７の最も左側sub-figure（３７１０）のようなslotがSFIなどを通じて端末に指示／設定されれば、
【０７５５】
端末は２番、５番、８番、１１番のシンボル、またはこれらのうちの少なくとも１つ以上のシンボルでCSI-RSが転送されないと仮定する。
【０７５６】
端末は３番、４番、６番、７番、９番、１０番、１２番、１３番のシンボルのうちの１つ以上のシンボルのみでCSI-RSが転送されることを仮定する。
【０７５７】
X＜２４の場合、即ち、number of CSI-RS antenna portsが２４未満の場合、１２番、１３番のシンボル、または９番、１０番のシンボルのみでCSI-RSが転送されることを仮定する。
【０７５８】
図３７で、中間のsub-figure（３７２０）のようなslotがSFIなどを通じて端末に指示／設定されれば、
【０７５９】
端末は２番、５番、８番、１１番、１３番のシンボル、またはこれらのうちの少なくとも１つ以上のシンボルでCSI-RSが転送されないと仮定する。
【０７６０】
端末は、３番、４番、６番、７番、９番、１０番、１２番のシンボルのみでCSI-RSが転送されることを仮定する。
【０７６１】
OFDMシンボルを１つのみ占めるX=１、２、４、８、１２が端末に指示／設定されれば、端末は１２番のシンボルのみでCSI-RSが転送されることを仮定する。
【０７６２】
図３７で、最も右側sub-figure（３７３０）のようなslotがSFIなどを通じて端末に指示／設定されれば、
【０７６３】
端末は、２番、５番、８番、１１番、１２番、１３番のシンボルでCSI-RSが転送されないことを仮定する。
【０７６４】
端末は、１２番、１３番のシンボルでCSI-RSが転送されないことを仮定する。
【０７６５】
端末は、３番、４番、６番、７番、９番、１０番のシンボルのみでCSI-RSが転送されることを仮定する。
【０７６６】
One symbol front-loaded DMRSとthree１-symbol additional DMRSが設定／指示されれば、例えば図３５で、端末は３番、４番、６番、７番、９番、１０番のシンボルのみでCSI-RSが転送されることを仮定する。または、６番、７番、９番、１０番のシンボルのみでCSI-RSが転送されることを仮定する。
【０７６７】
図３７は、２symbolに対するcontrol regionとthree１-symbol additional DRMSを有する１-symbol front-loaded DMRSの一例を示す。
【０７６８】
横縞領域（３７２１、３７３１）はPDSCH REを含まない。
【０７６９】
ここで、中間のsub-figure（３７２０）の横縞領域はOFDM symbol index１３、及び最も右側のsub-figure（３７３０）の横縞領域はOFDM symbol indexes １２及び１３である。
【０７７０】
Slot-basedスケジューリングに対して、PDSCHの場合、２つの追加的なDMRS symbolが３番目または４番目のシンボルでfront-load DMRSを有する１シンボルfront-load DMRSに対して構成された場合、２つの１シンボルadditional DMRSシンボルは｛８th、１２th｝及び｛７th、１０th｝symbolに設定できる。
【０７７１】
One symbol front-loaded DMRSとtwo１-symbol additional DMRSが設定／指示されれば、例えば図３８及び図３９、端末は４番、５番、７番、８番のシンボルのみでCSI-RSが転送されることを仮定する。
【０７７２】
図３８は、３symbol及び２symbolに対する制御領域とtwo１-symbol additional DRMSを有する１symbol front-loaded DMRSの一例を示す。
【０７７３】
横縞領域（３８１１、３８２１、３８３１、３８４１）は、PDSCH REを含まない。
【０７７４】
左上側のsub-figure（３８１０）の横縞領域（３８１１）はOFDM symbol indexes１０、１１、１２、１３であり、右上側のsub-figure（３８２０）の横縞領域（３８２１）はOFDM symbol indexes １０、１１、１２、１３であり、左下側のsub-figure（３８３０）の横縞領域（３８３１）はOFDM symbol indexes １１、１２、１３であり、右下側のsub-figure（３８４０）の横縞領域（３８４１）はOFDM symbol indexes １１、１２、１３である。
【０７７５】
− 図３９で、左上段sub-figure（３９１０）のようなslotがSFIなどを通じて端末に指示／設定されれば、
【０７７６】
端末は３番、５番、６番、８番、９番、１０番、１２番のシンボルのみでCSI-RSが転送されることを仮定する。
【０７７７】
端末は、３番、７番、１１番、１３番のシンボルでCSI-RSが転送されないことを仮定する。
【０７７８】
端末は、３番、７番、１１番のシンボル、または１３番のシンボルで、CSI-RSが転送されないことを仮定する。
【０７７９】
− 図３９で、右上段sub-figure（３９２０）のようなslotがSFIなどを通じて端末に指示／設定されれば、
【０７８０】
端末は、３番、４番、５番、６番のシンボルのみでCSI-RSが転送されることを仮定する。
【０７８１】
端末は、２番、７番、１１番、１３番のシンボルでCSI-RSが転送されないことを仮定する。
【０７８２】
端末は、２番、７番、１１番のシンボル、または１３番のシンボルでCSI-RSが転送されないことを仮定する。
【０７８３】
− 図３９で左下段sub-figure（３９３０）のようなslotがSFIなどを通じて端末に指示／設定されれば、
【０７８４】
端末は、３番、７番、１１番のシンボルでCSI-RSが転送されないことを仮定する。
【０７８５】
X＜２４の場合、即ち、number of CSI-RS antenna portsが２４未満の場合、１２番、１３番のシンボルのみでCSI-RSが転送されることを仮定する。
【０７８６】
− 図３９で右下段sub-figure（３９４０）のようなslotがSFIなどを通じて端末に指示／設定されれば、
【０７８７】
端末は、２番、７番、１１番のシンボル、または１３番のシンボルでCSI-RSが転送されないことを仮定する。
【０７８８】
端末は、３番、４番、５番、６番のシンボルのみでCSI-RSが転送されることを仮定する。
【０７８９】
X＜２４の場合、即ち、number of CSI-RS antenna portsが２４未満の場合、１２番、１３番のシンボルのみでCSI-RSが転送されることを仮定する。
【０７９０】
図３９は、３symbol及び２symbolに対する制御領域とtwo１-symbol additional DRMSを有する１symbolfront-loaded DMRSの一例を示す。
【０７９１】
Component CSI-RS RE patternの（component CSI-RS RE patternは（２、１）、（２、２）、（４、１）がある）PRB/slot内で周波数位置は（subcarrier index/location）６bits bit-mapに基づいて（周波数軸に２REを１つの単位で）端末に指示／設定できる。
【０７９２】
DMRS type Iが指示／設定されれば、PTRS REとCSI-RS REとの間のoverlapping/collisionを回避するためにCSI-RS REはsubcarrier indexが最も小さい８個または最も大きい８個に該当するREのみに位置することができる。
【０７９３】
したがって、DMRS type Iが指示されれば、effectively４bits bit-mapに基づいてCSI-RSの周波数軸の位置が設定／指示できる。
【０７９４】
例えば、図４０のようなPRB/slot形態を考慮することができる。即ち、６bits bit-mapであるが、最初または最後の２bits bit-mapは使用せず（実質的に）４bits bit-mapのみを使用して端末は以外の設定／指示を期待しない。
【０７９５】
端末は、DMRS type Iが指示／設定されれば、component CSI-RS RE patternの位置が（PRB/slot上でのCSI-RSの位置が）subcarrier indexが最も小さい８個または最も大きい８個に該当するREのみに指示／設定されることを期待／仮定する。
【０７９６】
また、端末はDMRS type Iが指示／設定されれば、component CSI-RS RE patternの位置が（PRB/slot上でのCSI-RSの位置が）subcarrier indexが最も小さい１０個または最も大きい１０個に該当するREのみに指示／設定されることを期待／仮定することができる。即ち、５bits bit-mapに該当するインデックスが指示されることを期待する。
【０７９７】
図４０は、周波数領域で可能なCSI-RS RE locationの一例を示した図である。
【０７９８】
次に、CORESET（control resource set）とCSI-RSについて説明する。
【０７９９】
Beam managementのためのCSI-RS転送のためにCSI-RSが転送されるシンボルはCSI-RSの以外に他のRS及び／又は他のチャンネルなどが転送されないことが適切な送受信ビーム推定／測定及び選択のために好ましいことがある。
【０８００】
一例に、IFDMA（Interleaved FDMA）基盤の受信beam sweepingの場合、beam management CSI-RS以外の他の信号が同一なsymbolにRB-level multiplexing（infrequency domain）されることが好ましくないことがある。
【０８０１】
したがって、CSI acquisition CSI-RSとCORESETとの間のRB-level multiplexing（RB-level FDM）は許容され、beam management CSI-RSとCORESETとの間のRB-level multiplexingが許容されないことがある。
【０８０２】
即ち、端末は指示／設定されたCSI-RSがbeam management CSI-RSである場合、CORESET symbolにCSI-RSが転送されないことを仮定する。
【０８０３】
前記とは反対に、Beam management CSI-RSはCORESETとのRB-level multiplexingが（infrequency domain）許容できるが、CSI acquisition CSI-RSはCORESETとRB-level multiplexingが許容されないことがある。
【０８０４】
Beam managementのための（P-１/P-２/P-３動作）CSI-RSは、その特性上、全帯域に亘って転送され、端末は全帯域に亘って転送されたビーム情報に基づいて受信SNRなどが最も高いビームを選択するなどの手続に従うので、一部の周波数帯域でCORESETとのRB-level multiplexing（FDM）されても全体的な面でビーム測定／選択などに大きく影響を及ぼせないことがある。
【０８０５】
P-１：TRP Txビーム／UE Rxビームの選択を支援するために相異するTRP Txビームに対するUE測定を可能にするために使われる。
【０８０６】
− TRPでのビームフォーミングの場合、一般的に互いに異なるビームセットでイントラ（intra）／インター（inter）−TRP Txビームスウィープ（sweep）を含む。UEでのビームフォーミングのために、それは通常的に相異するビームのセットからのUE Rxビームsweepを含む。
【０８０７】
P-２：相異するTRP Txビームに対するUE測定がインター／イントラ−TRP Txビームを変更するようにするために使われる。
【０８０８】
P-３：UEがビームフォーミングを使用する場合に、同一なTRP Txビームに対するUE測定がUE Rxビームを変更させることに使われる
【０８０９】
しかしながら、CSI acquisitionのためのCSI-RSの場合、特定周波数帯域でCORESETとのRB-level multiplexingによってチャンネル情報を獲得できなくてチャンネル情報が不在する問題が生じることがある。
【０８１０】
したがって、CSI acquisition CSI-RSとCORESETとの間のRB-level multiplexing（RB-level FDM）は許容せず、beam management CSI-RSとCORESETとの間のRB-level multiplexingのみ許容できる。
【０８１１】
即ち、端末は指示／設定されたCSI-RSがCSI acquisition CSI-RSである場合、CORESET symbolにCSI-RSが転送されないことを仮定することができる。
【０８１２】
CSI-RS typeによって（CSI acquisitionまたはbeam management）CORESETとCSI-RSとの間のRB-level FDMが決定／許容できる。
【０８１３】
または、CSI-RS typeによって（CSI acquisitionまたはbeam management）CORESETとCSI-RSとの間のRB-level FDM可否または許容有無が決定できる。
【０８１４】
Slot formatによって（SFI、Slot Format Indicatorによって（依存して））CSI-RSとCORESETとの間のRB-level FDM許容有無が決定できる。
【０８１５】
例えば、CSI-RS転送可能なシンボルが比較的多いdownlink-centric slotではCSI-RSとCORESETとの間のRB-level FDMの代わりにTDMのみ許容／使用することができる。
【０８１６】
したがって、SFI（slot format indicator）によって端末はCORESETとCSI-RSとの間のRB-level multiplexing（RB-level FDM）有無を自動で認知することができる。次のようなより具体的な例示を考慮することができる。
【０８１７】
特定slot formatでCSI-RSが転送できるシンボル個数が２つ以下の場合、CORESETとCSI-RSはRB-level FDMされる。本場合、端末は設定／指示されたCORESETシンボル位置及びCSI-RSシンボル位置が重複する（重なる）シンボルでCORESETとCSI-RSが共に転送されることを仮定する。
【０８１８】
特定slot formatで設定／指示されたCSI-RSシンボルが６個以上であり、設定／指示されたCORESETシンボルが２つ以下である場合、CSI-RSとCORESETはRB-level FDMされない。端末は、設定／指示されたOFDMシンボル位置及びCORESETシンボル位置が重なる部分ではCSI-RSが転送されないことを自動で認知する（または、仮定する）。
【０８１９】
CSI-RS antenna portsの数が２４以上である場合、即ち、X＞=２４、CSI-RSとCORESETのRB-level multiplexingは許容され、X＜２４である場合はCSI-RSとCORESETのRB-level multiplexingが許容されないことがある。
【０８２０】
X＞=２４の場合、CSI-RSがOFDMシンボル４個に亘って転送されるので、X＜２４である場合よりCSI-RSとCORESETとの間のRB-level FDMを避け難いことがある。
【０８２１】
CORESET symbolの個数が３以上である場合のみにCORESETとCSI-RSのRB-level FDMが許容できる。
【０８２２】
ECP（Extended Cyclic-Prefix）OFDMでは異なるRSs及び／又はチャンネルとCSI-RSとの間のcollision問題などを避けるために、CSI-RS転送可能なOFDMシンボルが４、５、１０、１１番に（５th、６th、１０th、１１st）制限できる。
【０８２３】
即ち、総４個のOFDMシンボルのみでCSI-RS転送が許容され、これらのシンボル位置は前記４、５、１０、１１番の以外に他の位置に端末と基地局との間に事前に約束できる。
【０８２４】
基地局が端末にECP基盤のslot使用を設定／指示すれば、端末はCDM-８設定を期待しない。
【０８２５】
次に、CSI-RS RE patternのBit-map configurationについて説明する。
【０８２６】
１つのPRB/slotで各々のX-port CSI-RS resourceに相応するcomponent CSI-RS RE patternのfrequency locationを（subcarrier index/position）設定／指示するために１つの１２ bits bit-mapを使用することができる。
【０８２７】
この際、CSI-RS portsの数（X）によって（ i.e., 
2019531018.tif 000264
によって）、使用する１２ bits bit-mapの構成を異にすることができる。
【０８２８】
または、X値に従って１２-bits bit-mapのうちの一部を選択的に／分離して使用することができる。より具体的に、以下の例示を考慮することができる。
【０８２９】
X=１の場合、１２個のsubcarrier位置に対してCSI-RS RE １つの位置を設定／指示するために１２ bits bit-map全体を使用する。
【０８３０】
X=２及びX=８の場合、component CSI-RS RE pattern（２、１）のsubcarrier位置を設定／指示するために１２ bits bit-mapのうち、６ bits bit-mapのみを使用することができる。
【０８３１】
例えば、１２ bits bit-mapのうち、最初の６bitsまたは最後の６bitsなどを使用する場合を考えることができる。
【０８３２】
X=４の場合、component CSI-RS RE pattern（４、１）のsubcarrier位置を設定／指示するために１２ bits bit-mapのうち、３ bits bit-mapのみを使用することができる。
【０８３３】
X=４、８、１２、１６の場合、component CSI-RS RE pattern（２、２）のsubcarrier位置を設定／指示するために１２ bits bit-mapのうち、６ bits bit-mapのみを使用することができる。
【０８３４】
X=２４、X=３２の場合、最初の６bitsは２つのpairのうちの１つのpairに対してcomponent CSI-RS RE pattern（２、２）の周波数位置を（subcarrier index）設定／指示するために使用し、残りの６bitsは２番目のpairに対してcomponent CSI-RS RE patternのsubcarrier indexを設定／指示するために使用することができる。
【０８３５】
この際、各pairは２つの隣接したOFDM symbolから構成され、pairの間には隣接することもあり、隣接しないこともある。
【０８３６】
例えば、１２ bits bit-map 
2019531018.tif 000265
で
2019531018.tif 000266
は図４１でgroup Aにある４個のcomponent CSI-RS RE patternのsubcarrier位置を設定／指示することに使われて、残りの
2019531018.tif 000267
はgroup Bにある４個のcomponent CSI-RS RE patternの位置設定／指示のために使われることができる。
【０８３７】
図４１の場合、各group（pair）に同一に４個ずつcomponent CSI-RS RE patternがあるが、互いに異なることがある。
【０８３８】
図４１は、本明細書で提案するCSI-RS mapping方法の一例を示した図である。
【０８３９】
図４２は、本明細書で提案するCSIを報告するための端末の動作を示した順序図である。
【０８４０】
図４２では前述した内容に基づいて端末の動作方法について記述するが、更に他の実施形態として、前述した内容が適用できる基地局の動作方法も図４２で説明する内容を参考にして記述できる。
【０８４１】
まず、端末はCSI-RS資源（resource）の設定（configuration）と関連した制御情報を基地局から受信する（Ｓ４２１０）。
【０８４２】
前記制御情報は前記CSI-RS資源に適用されるCDM（Code Division Multiplexing）のタイプ（type）を示すCDMタイプ情報を含む。
【０８４３】
以後、前記端末はX-port CSI-RSを１つまたはその以上のコンポーネント（component）CSI-RS RE（Resource Element）パターン（pattern）上で前記基地局から受信する（Ｓ４２２０）。
【０８４４】
ここで、前記１つまたはその以上のコンポーネント（component）CSI-RS REパターンの各々は前記CDMタイプ情報により指示されるCDMタイプが適用される少なくとも１つのRE（Resource Element）を含むことができる。
【０８４５】
そして、前記１つまたはその以上のコンポーネント（component）CSI-RS REパターンの個数は、前記X値及び前記CDMの長さによって決定できる。
【０８４６】
具体的に、前記１つまたはその以上のcomponent CSI-RS REパターンの個数はX/Lであり、前記Lは前記CDMの長さ（length）を示し、前記X値はCSI-RSアンテナポート（antenna port）の個数を示す。
【０８４７】
例えば、前記X値が３２である場合、即ち、３２-port CSI-RSである場合、前記１つまたはその以上のcomponent CSI-RS REパターンの個数は８であり、前記CDMのタイプはCDM４でありうる。
【０８４８】
この場合、８個のcomponent CSI-RS REパターンは第１資源領域及び第２資源領域に位置することができる。
【０８４９】
前記第１資源領域と前記第２資源領域は各々少なくとも１つのsymbol及び少なくとも１つのsubcarrierを含むことができる。
【０８５０】
例えば、前記第１資源領域と前記第２資源領域は時間領域に各々２つのsymbolsを含むことができる。
【０８５１】
ここで、前記第１資源領域及び前記第２資源領域は、各々４個のcomponent CSI-RS REパターンを含むことができる。
【０８５２】
また、各資源領域（第１資源領域、第２資源領域）に含まれる４個のcomponent CSI-RS REパターンの開始サブキャリア（subcarrier）の位置は互いに異なり、開始symbolの位置は互いに同一でありうる。
【０８５３】
そして、前記第１資源領域に含まれる第１component CSI-RS REパターンの開始subcarrier位置と前記第２資源領域に含まれる第２component CSI-RS REパターンの開始subcarrier位置は同一でありうる。
【０８５４】
これに対する具体的な内容及び図面は、図１６を参考する。
【０８５５】
また、前記１つまたはその以上のcomponent CSI-RS REパターンの開始subcarrier位置は、ビットマップ（bitmap）で表示できる。
【０８５６】
以後、前記端末は前記受信されたX-port CSI-RSに基づいてCSIを前記基地局に報告（report）する（Ｓ４２３０）。
【０８５７】
追加的に、前記端末はCSI-RSが時間及び周波数トラッキング（tracking）のために使われるか否かを示すTRS（Tracking Reference Signal）情報を前記基地局から受信することができる。
【０８５８】
前記TRS情報を受信するステップは、Ｓ４２１０の以前、またはＳ４２１０の以後、またはＳ４２１０に含まれることができる。
【０８５９】
そして、ステップＳ４２１０からＳ４２３０は前記TRS情報が前記CSI-RSが時間及び周波数トラッキングのために使われないものに設定される場合に遂行できる。
【０８６０】
本発明が適用できる装置一般
【０８６１】
図４３は、本明細書で提案する方法が適用できる無線通信装置のブロック構成図を例する。
【０８６２】
図４３を参照すると、無線通信システムは基地局４３１０と基地局領域内に位置した多数の端末４３２０を含む。
【０８６３】
前記基地局と端末は、各々無線装置で表現されることもできる。
【０８６４】
基地局４３１０は、プロセッサ（processor）４３１１、メモリー（memory）４３１２、及びRFモジュール（radio frequency module）４３１３を含む。プロセッサ４３１１は先の図１から図１２で提案された機能、過程及び／又は方法を具現する。無線インターフェースプロトコルの階層はプロセッサにより具現できる。メモリー４３１２はプロセッサと連結されて、プロセッサを駆動するための多様な情報を格納する。RFモジュール４３１３はプロセッサと連結されて、無線信号を送信及び／又は受信する。
【０８６５】
端末は、プロセッサ４３２１、メモリー４３２２、及びRFモジュール４３２３を含む。
【０８６６】
プロセッサは先の図１から図４２で提案された機能、過程及び／又は方法を具現する。無線インターフェースプロトコルの階層はプロセッサにより具現できる。メモリーはプロセッサと連結されて、プロセッサを駆動するための多様な情報を格納する。RFモジュール４３２３はプロセッサと連結されて、無線信号を送信及び／又は受信する。
【０８６７】
メモリー４３１２、４３２２はプロセッサ４３１１、４３２１の内部または外部にあることができ、よく知られた多様な手段によりプロセッサと連結できる。
【０８６８】
また、基地局及び／又は端末は１つのアンテナ（single antenna）または多重アンテナ（multiple antenna）を有することができる。
【０８６９】
図４４は、本発明の一実施形態に従う通信装置のブロック構成図を例示する。
【０８７０】
特に、図４４では先の図４３の端末をより詳細に例示する図である。
【０８７１】
図４４を参照すると、端末はプロセッサ（または、ディジタル信号プロセッサ（DSP：digital signal processor）４４１０、RFモジュール（RF module）（または、RFユニット）４４３５、パワー管理モジュール（power management module）４４０５、アンテナ（antenna）４４４０、バッテリー（battery）４４５５、ディスプレイ（display）４４１５、キーパッド（keypad）４４２０、メモリー（memory）４４３０、SIMカード（ Subscriber Identification Module card）４４２５（この構成は選択的である）、スピーカー（speaker）４４４５、及びマイクロホン（microphone）４４５０を含んで構成できる。また、端末は単一のアンテナまたは多重のアンテナを含むことができる。
【０８７２】
プロセッサ４４１０は先の図１から図４２で提案された機能、過程及び／又は方法を具現する。無線インターフェースプロトコルの階層はプロセッサにより具現できる。
【０８７３】
メモリー４４３０はプロセッサと連結され、プロセッサの動作と関連した情報を格納する。メモリー４４３０はプロセッサの内部または外部にあることができ、よく知られた多様な手段によりプロセッサと連結できる。
【０８７４】
ユーザは、例えば、キーパッド４４２０のボタンを押さえるか（または、タッチするか）、またはマイクロホン４４５０を用いた音声駆動（voice activation）により電話番号などの命令情報を入力する。プロセッサは、このような命令情報を受信し、電話番号に電話をかけるなど、適切な機能を遂行するように処理する。駆動上のデータ（operational data）はSIMカード４４２５またはメモリー４４３０から抽出することができる。また、プロセッサはユーザが認知し、また便宜のために命令情報または駆動情報をディスプレイ４４１５上にディスプレイすることができる。
【０８７５】
RFモジュール４４３５はプロセッサに連結されて、RF信号を送信及び／又は受信する。プロセッサは通信を開始するために、例えば、音声通信データを構成する無線信号を転送するように命令情報をRFモジュールに伝達する。RFモジュールは無線信号を受信及び送信するために受信機（receiver）及び送信機（transmitter）で構成される。アンテナ４４４０は無線信号を送信及び受信する機能をする。無線信号を受信する時、RFモジュールはプロセッサにより処理するために信号を伝達し、基底帯域に信号を変換することができる。処理された信号はスピーカー４４４５を通じて出力される可聴または可読情報に変換できる。
【０８７６】
図４５は、本明細書で提案する方法が適用できる無線通信装置のRFモジュールの一例を示した図である。
【０８７７】
具体的に、図４５はFDD（Frequency Division Duplex）システムで具現できるRFモジュールの一例を示す。
【０８７８】
まず、転送経路で、図４３及び図４４で記述されたプロセッサは転送されるデータをプロセシングしてアナログ出力信号を送信機４５１０に提供する。
【０８７９】
送信機４５１０内で、アナログ出力信号はディジタル−対−アナログ変換（ADC）により引起こされるイメージを除去するために低域通過フィルタ（Low Pass Filter、LPF）４５１１によりフィルタリングされ、上向き変換機（Mixer）４５１２により基底帯域からRFに上向き変換され、可変利得増幅器（Variable Gain Amplifier、VGA）４５１３により増幅され、増幅された信号はフィルタ４５１４によりフィルタリングされ、電力増幅器（Power Amplifier、PA）４５１５により追加で増幅され、デュプレクサ４５５０／アンテナスイッチ４５６０を通じてルーティングされ、アンテナ４５７０を通じて転送される。
【０８８０】
また、受信経路で、アンテナ４５７０は外部から信号を受信して、受信された信号を提供し、この信号はアンテナスイッチ４５６０／デュプレクサ４５５０を通じてルーティングされ、受信機４５２０に提供される。
【０８８１】
受信機４５２０内で、受信された信号は低雑音増幅器（Low Noise Amplifier、LNA）４５２３により増幅され、帯域通過フィルタ４５２４によりフィルタリングされ、下向き変換機（Mixer）４５２５によりRFから基底帯域に下向き変換される。
【０８８２】
前記下向き変換された信号は低域通過フィルタ（LPF）４５２６によりフィルタリングされ、VGA４５２７により増幅されてアナログ入力信号を獲得し、これは図４３及び図４４で記述したプロセッサに提供される。
【０８８３】
また、ローカルオシレータ（local oscillator、LO）発生器４５４０は転送及び受信LO信号を発生、及び上向き変換機４５１２及び下向き変換機４５２５に各々提供する。
【０８８４】
また、位相固定ループ（Phase Locked Loop、PLL）４５３０は適切な周波数で転送及び受信LO信号を生成するために、プロセッサから制御情報を受信し、制御信号をLO発生器４５４０に提供する。
【０８８５】
また、図４５に図示された回路は図４５に図示された構成と異なるように配列されることもできる。
【０８８６】
図４６は、本明細書で提案する方法が適用できる無線通信装置のRFモジュールの更に他の一例を示した図である。
【０８８７】
具体的に、図４６はTDD（Time Division Duplex）システムで具現できるRFモジュールの一例を示す。
【０８８８】
TDDシステムにおけるRFモジュールの送信機４６１０及び受信機４６２０は、FDDシステムにおけるRFモジュールの送信機及び受信機の構造と同一である。
【０８８９】
以下、TDDシステムのRFモジュールはFDDシステムのRFモジュールと差が出る構造に対してのみ説明し、同一な構造に対しては図４５の説明を参照する。
【０８９０】
送信機の電力増幅器（Power Amplifier、PA）４６１５により増幅された信号はバンド選択スイッチ（Band Select Switch）４６５０、バンド通過フィルタ（BPF）４６６０、及びアンテナスイッチ４６７０を通じてルーティングされ、アンテナ４６８０を通じて転送される。
【０８９１】
また、受信経路で、アンテナ４６８０は外部から信号を受信して、受信された信号を提供し、この信号はアンテナスイッチ４６７０、バンド通過フィルタ４６６０、及びバンド選択スイッチ４６５０を通じてルーティングされ、受信機４６２０に提供される。
【０８９２】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０８９３】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはその以上のASICs（application specific integrated circuits）、DSPs（digital signal processors）、DSPDs（digital signal processing devices）、PLDs（programmable logic devices）、FPGAs（field programmable gate arrays）、プロセッサ、コントローラー、マイクロコントローラー、マイクロプロセッサなどにより具現できる。
【０８９４】
ファームウエアやソフトウェアによる具現の場合、本発明の一実施形態は以上で説明された機能または動作を遂行するモジュール、手続、関数などの形態に具現できる。ソフトウェアコードはメモリーに格納されてプロセッサにより駆動できる。前記メモリーは前記プロセッサの内部または外部に位置し、既に公知された多様な手段により前記プロセッサとデータをやり取りすることができる。
【０８９５】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０８９６】
本発明の無線通信システムにおける参照信号をマッピングする方案は、３GPP LTE/LTE-Aシステム、５Gシステム（New RATシステム）に適用される例を中心として説明したが、その他にも多様な無線通信システムに適用可能である。
【図１】
2019531018.tif 000268
【図２】
2019531018.tif 000269
【図３】
2019531018.tif 000270
【図４】
2019531018.tif 000271
【図５】
2019531018.tif 000272
【図６】
2019531018.tif 000273
【図７】
2019531018.tif 000274
【図８】
2019531018.tif 000275
【図９】
2019531018.tif 000276
【図１０】
2019531018.tif 000277
【図１１】
2019531018.tif 000278
【図１２】
2019531018.tif 000279
【図１３】
2019531018.tif 000280
【図１４】
2019531018.tif 000281
【図１５】
2019531018.tif 000282
【図１６】
2019531018.tif 000283
【図１７】
2019531018.tif 000284
【図１８】
2019531018.tif 000285
【図１９】
2019531018.tif 000286
【図２０】
2019531018.tif 000287
【図２１】
2019531018.tif 000288
【図２２】
2019531018.tif 000289
【図２３】
2019531018.tif 000290
【図２４】
2019531018.tif 000291
【図２５】
2019531018.tif 000292
【図２６】
2019531018.tif 000293
【図２７】
2019531018.tif 000294
【図２８】
2019531018.tif 000295
【図２９】
2019531018.tif 000296
【図３０】
2019531018.tif 000297
【図３１】
2019531018.tif 000298
【図３２】
2019531018.tif 000299
【図３３】
2019531018.tif 000300
【図３４】
2019531018.tif 000301
【図３５】
2019531018.tif 000302
【図３６】
2019531018.tif 000303
【図３７】
2019531018.tif 000304
【図３８】
2019531018.tif 000305
【図３９】
2019531018.tif 000306
【図４０】
2019531018.tif 000307
【図４１】
2019531018.tif 000308
【図４２】
2019531018.tif 000309
【図４３】
2019531018.tif 000310
【図４４】
2019531018.tif 000311
【図４５】
2019531018.tif 000312
【図４６】
2019531018.tif 000313
【国際調査報告】
2019531018.tif 000314
2019531018.tif 000315
2019531018.tif 000316
2019531018.tif 000317
2019531018.tif 000318
2019531018.tif 000319